(57)【要約】【課題】収納ユニットの収納部に補充されるべき貨幣が収納される補充部の管理権限を、収納ユニットの管理権限と異ならせることができる貨幣処理機および貨幣処理システムを提供する。【解決手段】貨幣処理機（例えば、貨幣入出金機１００）は、貨幣を収納するとともに収納されている貨幣を繰り出し可能な収納部（例えば、収納繰出部１３４、１３６、１６０）を有する収納ユニットと、収納ユニットから送られた貨幣が収納される回収部（例えば、回収カセット１４０、１７０）と、外部装置に補充されるべき貨幣が収納される補充部（例えば、収納ドロア１８２）と、収納ユニットの収納部に収納されている貨幣を第１の管理権限により管理するとともに、回収部に回収された貨幣と、補充部に収納されている貨幣の少なくとも一部とをそれぞれ第２の管理権限により管理する制御部１０２とを備えている。【選択図】図６
2019117479.tif 000002
【特許請求の範囲】
【請求項１】
貨幣を収納するとともに収納されている貨幣を繰り出し可能な収納部を有する収納ユニットと、
前記収納ユニットから送られた貨幣が収納される回収部と、
外部装置に補充されるべき貨幣が収納される補充部と、
前記収納ユニットの前記収納部に収納されている貨幣を第１の管理権限により管理するとともに、前記回収部に回収された貨幣と、前記補充部に収納されている貨幣の少なくとも一部とをそれぞれ前記第１の管理権限とは異なる第２の管理権限により管理する制御部と、
を備えた、貨幣処理機。
【請求項２】
前記第１の管理権限は、前記貨幣処理機が設置される施設の管理権限であり、前記第２の管理権限は、前記回収部から貨幣を回収する組織の管理権限である、請求項１記載の貨幣処理機。
【請求項３】
前記制御部は、前記収納ユニットから前記回収部への貨幣の受渡処理が行われる際に、最初に前記収納ユニットから前記回収部に貨幣を送り、次に前記補充部から貨幣が取り出し可能となるよう前記収納ユニットおよび前記補充部を制御する、請求項１または２記載の貨幣処理機。
【請求項４】
前記制御部は、前記収納ユニットから前記回収部への貨幣の受渡処理が行われる際に、最初に前記収納ユニットの前記収納部から繰り出された貨幣を前記回収部に送る、請求項３記載の貨幣処理機。
【請求項５】
前記収納ユニットには、当該収納ユニットの内部に貨幣を投入する投入部が設けられており、
前記制御部は、前記収納ユニットから前記回収部への貨幣の受渡処理が行われる際に、最初に前記投入部により前記収納ユニットの内部に投入された貨幣を前記回収部に送る、請求項３記載の貨幣処理機。
【請求項６】
前記収納ユニットには、貨幣を収納するとともに収納されている貨幣を繰り出し可能な収納カセットが装着されるカセット装着部が設けられており、
前記制御部は、前記収納ユニットから前記回収部への貨幣の受渡処理が行われる際に、最初に前記カセット装着部に装着された前記収納カセットから前記収納ユニットの内部に繰り出された貨幣を前記回収部に送る、請求項３記載の貨幣処理機。
【請求項７】
前記補充部から取り出された貨幣の金額を検知する検知手段を更に備え、
前記制御部は、前記収納ユニットから前記回収部への貨幣の受渡処理が行われる際に、前記収納ユニットから前記回収部に送られた貨幣の金額と、前記検知手段により検知された貨幣の金額とを比較する、請求項１乃至６のいずれか一項に記載の貨幣処理機。
【請求項８】
前記収納ユニットから前記回収部に送られた貨幣の金額と、前記検知手段により検知された貨幣の金額とが一致しない場合に、このことを報知する報知手段を更に備えた、請求項７記載の貨幣処理機。
【請求項９】
前記補充部を筐体内でロックするロック機構を更に備え、
前記制御部は、前記収納ユニットから前記回収部に送られた貨幣の金額と、前記検知手段により検知された貨幣の金額とが一致しない場合に、前記補充部を前記ロック機構によりロックすることができなくなるよう前記ロック機構を制御する、請求項７記載の貨幣処理機。
【請求項１０】
前記補充部は少なくとも包装硬貨を収納可能となっている、請求項１乃至９のいずれか一項に記載の貨幣処理機。
【請求項１１】
貨幣を収納するとともに収納されている貨幣を繰り出し可能な収納部を有する収納ユニットおよび前記収納ユニットから送られた貨幣が収納される回収部を有する貨幣処理機と、
前記貨幣処理機とは別に設けられ、外部装置に補充されるべき貨幣が収納される補充部と、
を備え、
前記貨幣処理機の前記収納ユニットの前記収納部に収納されている貨幣を第１の管理権限により管理するとともに、前記貨幣処理機の前記回収部に回収された貨幣と、前記補充部に収納されている貨幣の少なくとも一部とをそれぞれ前記第１の管理権限とは異なる第２の管理権限により管理する制御部が設けられている、貨幣処理システム。
【発明の詳細な説明】
【技術分野】
【０００１】
本発明は、貨幣の処理を行う貨幣処理機およびこのような貨幣処理機を備えた貨幣処理システムに関する。
【背景技術】
【０００２】
スーパーマーケットやコンビニエンスストア等の商業施設の店舗において、商品棚が設置されるフロント領域の精算所には貨幣釣銭機が設置されるとともに顧客が立ち入ることができないバックヤード領域には貨幣入出金機が設置されるようになっている。ここで、バックヤード領域に設置される貨幣入出金機は、貨幣釣銭機から回収された売上金としての貨幣の入金処理を行うとともに、貨幣釣銭機に補充されるべき釣銭補充金としての貨幣の出金処理を行うようになっている。
【０００３】
フロント領域に設置される貨幣釣銭機およびバックヤード領域に設置される貨幣入出金機を組み合わせた貨幣処理システムとして、従来から様々なタイプのものが用いられている。例えば、特許文献１には、バックヤード領域に設置される貨幣入出金機から出金された包装硬貨に関する情報をフロント領域に設けられた貨幣釣銭機側で管理することができ、よって貨幣釣銭機に補充される釣銭補充金としての包装硬貨の情報を当該貨幣釣銭機側で管理することができる貨幣管理システムが開示されている。
【０００４】
フロント領域に設置される貨幣釣銭機およびバックヤード領域に設置される貨幣入出金機を組み合わせた貨幣処理システムでは、警送会社の警備員が釣銭準備金としての貨幣を毎日店舗に配送し、店舗の店員等が警備員から貨幣を受け取った後、この店員が貨幣入出金機の内部に貨幣を投入するようになっている。また、警送会社の警備員は、貨幣入出金機から売上金としての貨幣を回収する。その後、警備員から店舗の店員等に受け渡された釣銭準備金としての貨幣の金額分の金が店舗側から警送会社の口座に入金される。
【先行技術文献】
【特許文献】
【０００５】
【特許文献１】特開２０１７−９７４０５号公報
【発明の概要】
【発明が解決しようとする課題】
【０００６】
特許文献１に開示されるような従来の貨幣処理システムでは、バックヤード領域に設置される貨幣入出金機に、包装硬貨を収納する包装硬貨収納ユニットが設けられている。ここで、従来の貨幣処理システムでは、このような包装硬貨収納ユニットは店舗の管理権限により管理されていたため、警備会社の警備員は店舗に配送した釣銭準備金としての貨幣のうち包装硬貨を包装硬貨収納ユニットにそのまま収納することができず、店舗の店員が不在の場合には包装硬貨を含む釣銭準備金を受け渡すことができないという問題があった。
【０００７】
本発明は、このような点を考慮してなされたものであり、外部装置に補充されるべき貨幣が収納される補充部の管理権限を、収納ユニットの管理権限と異ならせることができ、店舗の店員が不在の場合であっても釣銭準備金としての貨幣を受け渡すことができる貨幣処理機および貨幣処理システムを提供することを目的とする。
【課題を解決するための手段】
【０００８】
本発明の貨幣処理機は、貨幣を収納するとともに収納されている貨幣を繰り出し可能な収納部を有する収納ユニットと、前記収納ユニットから送られた貨幣が収納される回収部と、外部装置に補充されるべき貨幣が収納される補充部と、前記収納ユニットの前記収納部に収納されている貨幣を第１の管理権限により管理するとともに、前記回収部に回収された貨幣と、前記補充部に収納されている貨幣の少なくとも一部とをそれぞれ前記第１の管理権限とは異なる第２の管理権限により管理する制御部と、を備えたことを特徴とする。
【０００９】
このような貨幣処理機によれば、収納ユニットの収納部に収納されている貨幣を第１の管理権限により管理するとともに、回収部に回収された貨幣と、補充部に収納されている貨幣の少なくとも一部とをそれぞれ第２の管理権限により管理するため、外部装置に補充されるべき貨幣が収納される補充部の管理権限を、収納ユニットの管理権限と異ならせることができる。
【００１０】
本発明の貨幣処理機においては、前記第１の管理権限は、前記貨幣処理機が設置される施設の管理権限であり、前記第２の管理権限は、前記回収部から貨幣を回収する組織の管理権限であってもよい。
【００１１】
また、前記制御部は、前記収納ユニットから前記回収部への貨幣の受渡処理が行われる際に、最初に前記収納ユニットから前記回収部に貨幣を送り、次に前記補充部から貨幣が取り出し可能となるよう前記収納ユニットおよび前記補充部を制御してもよい。
【００１２】
この場合、前記制御部は、前記収納ユニットから前記回収部への貨幣の受渡処理が行われる際に、最初に前記収納ユニットの前記収納部から繰り出された貨幣を前記回収部に送ってもよい。
【００１３】
あるいは、前記収納ユニットには、当該収納ユニットの内部に貨幣を投入する投入部が設けられており、前記制御部は、前記収納ユニットから前記回収部への貨幣の受渡処理が行われる際に、最初に前記投入部により前記収納ユニットの内部に投入された貨幣を前記回収部に送ってもよい。
【００１４】
あるいは、前記収納ユニットには、貨幣を収納するとともに収納されている貨幣を繰り出し可能な収納カセットが装着されるカセット装着部が設けられており、前記制御部は、前記収納ユニットから前記回収部への貨幣の受渡処理が行われる際に、最初に前記カセット装着部に装着された前記収納カセットから前記収納ユニットの内部に繰り出された貨幣を前記回収部に送ってもよい。
【００１５】
本発明の貨幣処理機は、前記補充部から取り出された貨幣の金額を検知する検知手段を更に備え、前記制御部は、前記収納ユニットから前記回収部への貨幣の受渡処理が行われる際に、前記収納ユニットから前記回収部に送られた貨幣の金額と、前記検知手段により検知された貨幣の金額とを比較してもよい。
【００１６】
また、本発明の貨幣処理機は、前記収納ユニットから前記回収部に送られた貨幣の金額と、前記検知手段により検知された貨幣の金額とが一致しない場合に、このことを報知する報知手段を更に備えていてもよい。
【００１７】
また、本発明の貨幣処理機は、前記補充部を筐体内でロックするロック機構を更に備え、前記制御部は、前記収納ユニットから前記回収部に送られた貨幣の金額と、前記検知手段により検知された貨幣の金額とが一致しない場合に、前記補充部を前記ロック機構によりロックすることができなくなるよう前記ロック機構を制御してもよい。
【００１８】
また、前記補充部は少なくとも包装硬貨を収納可能となっていてもよい。
【００１９】
本発明の貨幣処理システムは、貨幣を収納するとともに収納されている貨幣を繰り出し可能な収納部を有する収納ユニットおよび前記収納ユニットから送られた貨幣が収納される回収部を有する貨幣処理機と、前記貨幣処理機とは別に設けられ、外部装置に補充されるべき貨幣が収納される補充部と、を備え、前記貨幣処理機の前記収納ユニットの前記収納部に収納されている貨幣を第１の管理権限により管理するとともに、前記貨幣処理機の前記回収部に回収された貨幣と、前記補充部に収納されている貨幣の少なくとも一部とをそれぞれ前記第１の管理権限とは異なる第２の管理権限により管理する制御部が設けられていることを特徴とする。
【００２０】
このような貨幣処理システムによれば、貨幣処理機における収納ユニットの収納部に収納されている貨幣を第１の管理権限により管理するとともに、貨幣処理機における回収部に回収された貨幣と、貨幣処理機とは別に設けられている補充部に収納されている貨幣の少なくとも一部とをそれぞれ第２の管理権限により管理するため、外部装置に補充されるべき貨幣が収納される補充部の管理権限を、収納ユニットの管理権限と異ならせることができる。
【発明の効果】
【００２１】
本発明の貨幣処理機および貨幣処理システムによれば、外部装置に補充されるべき貨幣が収納される補充部の管理権限を、収納ユニットの管理権限と異ならせることができ、店舗の店員が不在の場合であっても釣銭準備金としての貨幣を受け渡すことができる。
【図面の簡単な説明】
【００２２】
【図１】本発明の実施の形態による貨幣入出金機の外観を示す斜視図である。
【図２】図１に示す貨幣入出金機における紙幣処理ユニットの内部構成を側方から見たときの構成図である。
【図３】図１に示す貨幣入出金機における硬貨処理ユニットの内部構成を上方から見たときの構成図である。
【図４】図１に示す貨幣入出金機における包装硬貨収納ユニットの収納ドロアの構成を示す斜視図である。
【図５】図１に示す貨幣入出金機における制御系の構成を示す機能ブロック図である。
【図６】図１に示す貨幣入出金機における収納ユニット、回収カセットおよび収納ドロアの管理権限を示す説明図である。
【図７】図１に示す貨幣入出金機において釣銭準備金としての包装硬貨が取り出される際の動作を示すフローチャートである。
【図８】本発明の実施の形態による他の構成の貨幣処理装置の外観を示す斜視図である。
【図９】図８に示す貨幣処理装置における紙幣処理部の内部構成を側方から見たときの構成図である。
【図１０】図８に示す貨幣処理装置における硬貨処理部の内部構成を側方から見たときの構成図である。
【図１１】図８に示す貨幣処理装置における包装硬貨処理部の内部構成を側方から見たときの構成図である。
【図１２】図８に示す貨幣処理装置における制御系の構成を示す機能ブロック図である。
【図１３】図８に示す貨幣処理装置における収納ユニット、回収カセットおよび包装硬貨収納トレイの管理権限を示す説明図である。
【図１４】本発明の実施の形態による更に他の構成の有価媒体処理装置の外観を示す斜視図である。
【図１５】図１４に示す有価媒体処理装置の内部構成を模式的に示す構成図である。
【図１６】図１４に示す有価媒体処理装置の機能ブロック図である。
【図１７】図１４に示す有価媒体処理装置における収納ユニット、収納カセットおよび包装硬貨収納トレイの管理権限を示す説明図である。
【発明を実施するための形態】
【００２３】
以下、図面を参照して本発明の実施の形態について説明する。図１乃至図７は、本実施の形態による貨幣入出金機を示す図である。このうち、図１は、本実施の形態による貨幣管理システムにおける貨幣入出金機の外観を示す斜視図である。また、図２乃至図４は、ぞれぞれ、図１に示す貨幣入出金機における紙幣処理ユニット、硬貨処理ユニットおよび包装硬貨収納ユニットの構成を示す図である。また、図５は、図１に示す貨幣入出金機における制御系の構成を示す機能ブロック図である。また、図６は、図１に示す貨幣入出金機における収納ユニット、回収カセットおよび収納ドロアの管理権限を示す説明図であり、図７は、図１に示す貨幣入出金機において釣銭準備金としての包装硬貨（同一金種の硬貨を一定枚数（例えば、２０枚や５０枚）だけ棒状にまとめてフィルムや包装紙等により包装したもの）が取り出される際の動作を示すフローチャートである。
【００２４】
コンビニエンスストアやスーパーマーケット等の商業施設の店舗において、顧客が立ち入ることができるフロント領域には様々な商品が陳列された商品棚が設置されているとともに、このフロント領域の精算所には貨幣釣銭機やＰＯＳレジスタが設置されている。顧客がこのような精算所で精算処理を行う際に、店員は、顧客から受け取った商品の代金としての貨幣を貨幣釣銭機に入金したり、釣銭としての貨幣を貨幣釣銭機から出金して顧客に返却したりするようになっている。また、ＰＯＳレジスタにより、顧客が購入した商品に係る情報や貨幣釣銭機に収納されている貨幣に係る情報等の管理が行われるようになっている。また、このような店舗における顧客の立ち入りが禁止されたバックヤード領域（具体的には、例えば入金室）には、貨幣釣銭機から回収された売上金としての貨幣を入金する貨幣入出金機１００が設置されている。また、貨幣釣銭機において釣銭としての貨幣が不足する場合には、貨幣入出金機１００から釣銭準備金としての貨幣（具体的には、包装硬貨）を取り出し、貨幣入出金機１００から取り出された包装硬貨の包装を解くことによりバラ硬貨とした後、バラ硬貨が貨幣釣銭機に補充される。
【００２５】
また、本実施の形態では、警送会社の警備員により、貨幣入出金機１００から、店舗における売上金としての紙幣や硬貨が収納されている回収カセット１４０、１７０（後述）が取り出され、これらの回収カセット１４０、１７０ごと紙幣や硬貨が店舗から警送会社の管理センターに運搬されるようになっている。また、警送会社の警備員は、貨幣釣銭機で用いられる釣銭準備金としての貨幣（具体的には、紙幣や包装硬貨）を警送会社の管理センターから店舗に運搬し、店舗において警備員は釣銭準備金としての貨幣を貨幣入出金機１００に入金するようになっている。また、貨幣入出金機１００はＬＡＮを介して店舗の外部に設けられたターミナルやユーザーサーバーに通信可能に接続されており、これらのターミナルやユーザーサーバーにより、貨幣入出金機１００における貨幣の在高や、警送会社の警備員や店舗の店員等の操作者の情報が管理されるようになっている。
【００２６】
次に、貨幣入出金機１００の構成の詳細について図１乃至図５を参照して説明する。図１等に示すように、本実施の形態による貨幣入出金機１００は、略直方体形状の筐体１０１を備えており、この筐体１０１の内部には、紙幣の入金処理および出金処理を行う紙幣処理ユニット１１０、硬貨の入金処理および出金処理を行う硬貨処理ユニット１５０、および包装硬貨を収納する包装硬貨収納ユニット１８０がそれぞれ収容されている。図１に示すように、紙幣処理ユニット１１０および硬貨処理ユニット１５０は貨幣入出金機１００を手前側から見て左右に並ぶよう配置されており、これらの紙幣処理ユニット１１０および硬貨処理ユニット１５０の下方に包装硬貨収納ユニット１８０が配置されている。
【００２７】
図１および図２に示すように、紙幣処理ユニット１１０は、筐体１０１の前面側の右側領域に設けられた紙幣受入部１２０と、筐体１０１の前面側において紙幣受入部１２０の下方に設けられた紙幣払出部１２２と、筐体１０１の内部で紙幣を１枚ずつ搬送する搬送部１３０と、筐体１０１の内部で紙幣を収納するとともに収納されている紙幣を繰出可能な複数の収納繰出部１３４、１３６とを備えている。なお、図２において、筐体１０１の右側の側面が紙幣処理ユニット１１０の手前側の面となっており、図２における左向きの方向が紙幣処理ユニット１１０の奥行き方向となっている。図２に示すように、搬送部１３０は、筐体１０１の上部における中央位置に配置された周回搬送部１３０ａおよび複数の接続搬送部１３０ｂから構成されている。また、紙幣受入部１２０、紙幣払出部１２２、出金リジェクト部１２４、後述する収納カセット１２７を着脱自在に装着可能なカセット装着部１２６、回収カセット１４０および２つの収納繰出部１３４、１３６が、それぞれ、周回搬送部１３０ａを取り囲むよう配置されている。また、図２に示すように、複数の接続搬送部１３０ｂの各々により、紙幣受入部１２０、紙幣払出部１２２、出金リジェクト部１２４、カセット装着部１２６、回収カセット１４０および２つの収納繰出部１３４、１３６の各々と、周回搬送部１３０ａとの間をそれぞれ接続するようになっている。また、周回搬送部１３０ａには識別部１３２が設けられており、この識別部１３２は、周回搬送部１３０ａにより搬送される紙幣の金種、真偽、正損、表裏、搬送状態等の識別を行うようになっている。
【００２８】
周回搬送部１３０ａは、図２における時計回りの方向および反時計回りの方向の両方向に紙幣を１枚ずつ搬送することができるようになっている。また、搬送部１３０において、周回搬送部１３０ａと各接続搬送部１３０ｂとの間で紙幣の搬送経路を切り換える経路切換部（図示せず）が、周回搬送部１３０ａに沿って配置されている。
【００２９】
図１および図２に示すように、筐体１０１の前面には、紙幣受入部１２０の紙幣受入口１２０ａと、紙幣払出部１２２の紙幣取出口１２２ａとがそれぞれ設けられている。また、カセット装着部１２６の前面側には扉１２６ａが設けられており、この扉１２６ａを開くことにより収納カセット１２７をカセット装着部１２６に装着させたりこのカセット装着部１２６から収納カセット１２７を取り出したりすることができるようになっている。また、図５に示すように、カセット装着部１２６には、当該カセット装着部１２６に装着された収納カセット１２７に設けられている記録媒体（図示せず）に様々な情報を書き込む書込部１２８および当該記録媒体から様々な情報を読み取る読取部１２９がそれぞれ設けられている。
【００３０】
紙幣受入部１２０には紙幣繰出機構１２１が設けられており、紙幣受入口１２０ａに１枚あるいは複数枚の紙幣が投入されたことが検知されると紙幣繰出機構１２１が駆動されることにより紙幣が接続搬送部１３０ｂを介して周回搬送部１３０ａ側へ１枚ずつ繰り出されるようになっている。
【００３１】
紙幣払出部１２２は、各収納繰出部１３４、１３６から周回搬送部１３０ａに繰り出された紙幣を紙幣取出口１２２ａにより筐体１０１の外部へ放出するようになっている。
【００３２】
出金リジェクト部１２４は、出金処理時において各収納繰出部１３４、１３６から繰り出された紙幣のうち、重送や斜行等の搬送異常により識別部１３２で識別することができない紙幣を出金リジェクト紙幣として収納するようになっている。また、紙幣受入部１２０から筐体１０１の内部に取り込まれた紙幣のうち、入金処理時において汚損等により識別部１３２で識別することができない紙幣は入金リジェクト紙幣として紙幣払出部１２２に返却されるようになっている。
【００３３】
各収納繰出部１３４、１３６は、識別部１３２の識別結果に基づいて紙幣を金種別に収納するようになっている。これらの収納繰出部１３４、１３６には、貨幣釣銭機への釣銭準備金の紙幣として貨幣入出金機１００から出金されるべき紙幣が収納されるようになっている。具体的には、例えば収納繰出部１３４には千円札が収納され、収納繰出部１３６には五千円札が収納されるようになっている。なお、一万円札は後述する回収カセット１４０に収納されるようになっている。また、各収納繰出部１３４、１３６は、それぞれ紙幣繰出機構１３５、１３７を有しており、各収納繰出部１３４、１３６に収納されている紙幣は各紙幣繰出機構１３５、１３７により接続搬送部１３０ｂを介して周回搬送部１３０ａ側へ１枚ずつ繰り出されるようになっている。
【００３４】
筐体１０１の内部における下部領域には回収カセット１４０が収容されており、警送会社の警備員により回収されるべき紙幣が回収カセット１４０に収納されるようになっている。具体的には、識別部１３２により識別された紙幣が周回搬送部１３０ａから接続搬送部１３０ｂを経て回収カセット１４０に送られるようになっている。また、回収カセット１４０の前面側には扉１４０ａが設けられており、この扉１４０ａを開くことにより回収カセット１４０を筐体１０１の内部に収容させたり筐体１０１の内部から回収カセット１４０を取り出したりすることができるようになっている。
【００３５】
次に、硬貨処理ユニット１５０の構成について説明する。図１および図３に示すように、硬貨処理ユニット１５０は、筐体１０１の前面側の左側領域に設けられた硬貨受入部１５２と、筐体１０１の前面側において硬貨受入部１５２の下方に設けられた硬貨払出部１６６と、筐体１０１の内部で硬貨を収納するとともに収納されている硬貨を繰出可能な複数の収納繰出部１６０とを備えている。
【００３６】
硬貨受入部１５２は、硬貨投入口を介して受け入れた硬貨を１層１列状態で１枚ずつ筐体１０１内に取り込むようになっている。より詳細には、硬貨受入部１５２には繰出ベルト等からなる硬貨繰出機構１５３（図５参照）が設けられており、硬貨受入部１５２に受け入れられた硬貨を検知するとこの硬貨繰出機構１５３が駆動されることにより当該硬貨繰出機構１５３によって硬貨が筐体１０１の内部に１枚ずつ繰り出されるようになっている。また、図３に示すように、硬貨受入部１５２には、当該硬貨受入部１５２により筐体１０１の内部に繰り出された硬貨を搬送する入金搬送部１５４が接続されている。
【００３７】
図３に示すように、入金搬送部１５４の途中には、硬貨の金種、真偽、正損、表裏、搬送状態等の識別を行う識別部１５６と、第１分岐部１５８とがそれぞれ設けられている。第１分岐部１５８は、識別部１５６による硬貨の識別結果に基づいて、リジェクト硬貨等の、硬貨払出部１６６から払い出されるべき硬貨を入金搬送部１５４から分岐させて出金搬送部１６２へ案内するようになっている。
【００３８】
一方、正常硬貨等の筐体１０１内に収納されるべき硬貨は入金搬送部１５４により各収納繰出部１６０へ搬送されるようになっている。収納繰出部１６０は硬貨を金種別に収納するとともに収納されている硬貨を繰出可能となるよう構成されている。具体的には、例えば日本国で流通している硬貨の６つの金種（５００円硬貨、１００円硬貨、５０円硬貨、１０円硬貨、５円硬貨および１円硬貨）に対応して６つの収納繰出部１６０が設けられており、入金搬送部１５４の上流側（すなわち、図３における下側）から低額順に各収納繰出部１６０に硬貨が金種毎に収納されるようになっている。また、収納繰出部１６０には、当該収納繰出部１６０に収納された硬貨を１枚ずつ出金搬送部１６２に繰り出す硬貨繰出機構（図示せず）が設けられている。
【００３９】
出金搬送部１６２は、収納繰出部１６０から繰り出された硬貨を硬貨払出部１６６へ搬送するようになっている。また、出金搬送部１６２は、第１分岐部１５８により入金搬送部１５４から分岐させられたリジェクト硬貨等を硬貨払出部１６６へ搬送するようになっている。
【００４０】
筐体１０１の内部における下部領域には回収カセット１７０が収容されており、警送会社の警備員により回収されるべき硬貨が回収カセット１７０に収納されるようになっている。具体的には、図３に示すように、出金搬送部１６２の途中箇所には第２分岐部１６４が設けられており、当該第２分岐部１６４により出金搬送部１６２から分岐させられた硬貨は回収カセット１７０に送られてこの回収カセット１７０に収納されるようになっている。また、回収カセット１７０の前面側には扉１７０ａが設けられており、この扉１７０ａを開くことにより回収カセット１７０を筐体１０１の内部に収容させたり筐体１０１の内部から回収カセット１７０を取り出したりすることができるようになっている。
【００４１】
次に、包装硬貨収納ユニット１８０の構成について説明する。図４に示すように、包装硬貨収納ユニット１８０は、包装硬貨が金種毎に収納される複数の収納領域１８０ａ〜１８０ｆが設けられた収納ドロア１８２を有しており、当該収納ドロア１８２は貨幣入出金機１００の筐体１０１の内部から手前側に引き出し可能となっている。なお、図４に示すように、各収納領域１８０ａ〜１８０ｆに包装硬貨が収納されたときに当該包装硬貨の長手方向が鉛直方向を向くようになっている。そして、収納ドロア１８２を貨幣入出金機１００の筐体１０１の内部から手前側に引き出すことにより、各収納領域１８０ａ〜１８０ｆに包装硬貨を収納したりこれらの収納領域１８０ａ〜１８０ｆに収納されている包装硬貨を取り出したりすることができるようになっている。また、図５に示すように、包装硬貨収納ユニット１８０は、収納ドロア１８２を筐体１０１の内部にロックするロック機構１８４が設けられており、収納ドロア１８２が筐体１０１の内部にロックされている状態では当該収納ドロア１８２を筐体１０１の内部から手前側に引き出すことができないようになっている。また、包装硬貨収納ユニット１８０には、収納ドロア１８２の各収納領域１８０ａ〜１８０ｆに収納されている包装硬貨の重量を収納領域１８０ａ〜１８０ｆ毎に測定する重量計１８６が設けられている。このような重量計１８６により測定される包装硬貨の重量に基づいて、後述する制御部１０２において収納ドロア１８２の各収納領域１８０ａ〜１８０ｆに収納されている包装硬貨の本数が収納領域１８０ａ〜１８０ｆ毎に検知されるようになっている。
【００４２】
なお、各収納領域１８０ａ〜１８０ｆに収納されている包装硬貨の本数を検知するにあたり、重量計１８６により包装硬貨の重量を測定する代わりに、あるいは重量計１８６により包装硬貨の重量を測定することに加えて、ラインセンサまたは磁気センサを用いて各収納領域１８０ａ〜１８０ｆに収納されている包装硬貨の本数を検知してもよく、あるいはこれらのラインセンサや磁気センサを組み合わせることにより各収納領域１８０ａ〜１８０ｆに収納されている包装硬貨の本数を検知してもよい。また、収納領域１８０ａ〜１８０ｆ毎にラインセンサや磁気センサが設けられていてもよい。
【００４３】
また、図４に示す例では、各収納領域１８０ａ〜１８０ｆは複数の領域に区画されており、各区画には包装硬貨が１０本ずつ収納されるようになっているが、このような例に限定されることはない。各区画に包装硬貨が５本ずつ収納されるようになっていてもよく、あるいは各区画に包装硬貨が３本ずつ収納されるようになっていてもよく、また、異なる本数の包装硬貨が収納される複数の種類の区画が組み合わせられるようになっていてもよい。また、上記の説明では包装硬貨収納ユニット１８０が１つのみ設けられる場合について述べたが、このような例に限定されることはなく、複数の包装硬貨収納ユニット１８０が設けられるようになっていてもよい。この場合に、包装硬貨の各金種に対応するよう複数の包装硬貨収納ユニット１８０を設けてもよく、あるいは例えば２つの包装硬貨収納ユニット１８０にそれぞれ複数の金種の包装硬貨を収納させるようにしてもよい。
【００４４】
また、本実施の形態では、紙幣処理ユニット１１０の紙幣受入部１２０、紙幣払出部１２２、出金リジェクト部３２６、カセット装着部１２６および各収納繰出部１３４、１３６、ならびに硬貨処理ユニット１５０の硬貨受入部１５２、入金搬送部１５４、識別部１５６、第１分岐部１５８、各収納繰出部１６０、出金搬送部１６２および第２分岐部１６４を組み合わせることにより、筐体１０１の外部から内部に投入された紙幣および硬貨を収納するとともに収納されている紙幣および硬貨を筐体１０１の内部から外部に投出可能な収納ユニットが構成されている（図６参照）。
【００４５】
次に、このような貨幣入出金機１００における制御系の構成について図５を用いて説明する。図５に示すように、本実施の形態による貨幣入出金機１００の筐体１０１の内部には制御部１０２が設けられており、当該制御部１０２により紙幣処理ユニット１１０、硬貨処理ユニット１５０および包装硬貨収納ユニット１８０の各々の構成部材が制御されるようになっている。具体的には、制御部１０２には、紙幣処理ユニット１１０の紙幣繰出機構１２１、搬送部１３０、識別部１３２、収納繰出部１３４、１３６、カセット装着部１２６、書込部１２８、読取部１２９等が接続されており、識別部１３２による紙幣の識別情報や、収納カセット１２７に設けられた記録媒体から読取部１２９により読み取られた情報が制御部１０２に送られるとともに、制御部１０２は紙幣処理ユニット１１０の各構成部材に指令信号を送ることによりこれらの構成部材の制御を行うようになっている。また、制御部１０２には、硬貨処理ユニット１５０の硬貨繰出機構１５３、入金搬送部１５４、識別部１５６、第１分岐部１５８、各収納繰出部１６０、出金搬送部１６２および第２分岐部１６４等が接続されており、識別部１５６による硬貨の識別情報が制御部１０２に送られるとともに、制御部１０２は硬貨処理ユニット１５０の各構成部材に指令信号を送ることによりこれらの構成部材の制御を行うようになっている。また、制御部１０２には、包装硬貨収納ユニット１８０のロック機構１８４および重量計１８６等が接続されており、重量計１８６による包装硬貨の測定結果が制御部１０２に送られるとともに、制御部１０２はロック機構１８４に指令信号を送ることにより当該ロック機構１８４の制御を行うようになっている。
【００４６】
また、図５に示すように、制御部１０２には、操作表示部１０４、通信部１０５、記憶部１０６および検知手段１０８がそれぞれ接続されている。操作表示部１０４は筐体１０１の上部に設けられたタッチパネル等からなり、操作者が操作するための操作画面や、紙幣処理ユニット１１０、硬貨処理ユニット１５０および包装硬貨収納ユニット１８０の各々に収納されている貨幣の在高に係る情報が操作表示部１０４に表示されるようになっている。また、このような操作表示部１０４において操作者は操作画面における操作ボタンに指を触れることによって制御部１０２に様々な指令を入力することができるようになっている。通信部１０５はターミナルやユーザーサーバーに対してＬＡＮを介して様々な信号の送受信を行うことができるようになっている。記憶部１０６には、紙幣処理ユニット１１０、硬貨処理ユニット１５０および包装硬貨収納ユニット１８０の各々に収納されている貨幣の在高に係る情報や、貨幣入出金機１００における貨幣の処理履歴等の様々な情報が記憶されるようになっている。検知手段１０８は、重量計１８６により測定される包装硬貨の重量に基づいて、収納ドロア１８２から取り出された包装硬貨の金額を検知するようになっている。
【００４７】
次に、本実施の形態による貨幣入出金機１００における、収納ユニット（具体的には、各収納繰出部１３４、１３６、１６０）に収納されている貨幣、各回収カセット１４０、１７０に回収された貨幣、および包装硬貨収納ユニット１８０の収納ドロア１８２に収納されている貨幣がどの管理権限により管理されるかについて図６を用いて説明する。本実施の形態では、貨幣入出金機１００の筐体１０１の内部にある貨幣を管理する管理権限として、店舗の管理権限および警送会社の管理権限という２つの管理権限がある。前者の管理権限を第１の管理権限、後者の管理権限を第２の管理権限という。そして、本実施の形態では、収納ユニット（具体的には、各収納繰出部１３４、１３６、１６０）に収納されている貨幣、各回収カセット１４０、１７０（回収部）に収納されている貨幣、および包装硬貨収納ユニット１８０の収納ドロア１８２（補充部）に収納されている貨幣の各々について、概ね管理権限を有する操作者のみがアクセスすることができるようになっている。ここで、本実施の形態では、図６に示すように、収納ユニット（具体的には、各収納繰出部１３４、１３６、１６０）に収納されている貨幣の管理権限として、貨幣入出金機１００が設置される施設（具体的には、店舗）の管理権限が割り当てられている。一方、各回収カセット１４０、１７０に回収された貨幣、および包装硬貨収納ユニット１８０の収納ドロア１８２に収納されている貨幣（具体的には、包装硬貨）の管理権限として、回収カセット１４０、１７０により店舗から貨幣を回収する組織（具体的には、警送会社）の管理権限が割り当てられている。また、後述するように、本実施の形態では、店舗における特定の権限を有する操作者（例えば、店長等）のみが、包装硬貨収納ユニット１８０の収納ドロア１８２に収納されている包装硬貨を当該収納ドロア１８２から取り出すことができるようになっている。一方、各回収カセット１４０、１７０に回収された貨幣は、店舗における特定の権限を有する操作者であっても筐体１０１の内部から外部に取り出すことができないようになっている。
【００４８】
次に、警送会社の警備員が本実施の形態の貨幣入出金機１００に貨幣（具体的には、包装硬貨）を補充したり当該貨幣入出金機１００から売上金としての貨幣を回収したりする動作について説明する。まず、警送会社の警備員は、貨幣釣銭機で用いられる釣銭準備金としての貨幣（具体的には、包装硬貨）を警送会社の管理センターから店舗に運搬する。次に、警備員は操作表示部１０４によって自分の識別番号およびパスワードを入力することにより当該警備員の認証を制御部１０２により行わせる。なお、操作表示部１０４によって識別番号およびパスワードを入力することにより警備員の認証が行われる代わりに、ＩＣカードの読み取りを行うカードリーダが貨幣入出金機１００に設けられており、警備員は所持するＩＣカードをカードリーダによって読み取らせることにより当該警備員の認証が行われるようになっていてもよい。そして、制御部１０２において警備員の認証が行われると、扉１４０ａ、１７０ａのロックが解除されてこれらの扉１４０ａ、１７０ａを開くことができるようになる。このことにより、警備員は筐体１０１の内部から回収カセット１４０、１７０を取り出してこれらの回収カセット１４０、１７０に収納されている貨幣を回収カセット１４０、１７０ごと回収することができるようになる。また、制御部１０２において警備員の認証が行われると、ロック機構１８４による収納ドロア１８２のロックが解除される。このことにより、警備員は収納ドロア１８２を筐体１０１の内部から手前側に引き出してこの収納ドロア１８２の各収納領域１８０ａ〜１８０ｆに包装硬貨（具体的には、貨幣釣銭機で用いられる釣銭準備金としての包装硬貨）を金種毎に補充することができるようになる。このように、本実施の形態では、各回収カセット１４０、１７０に回収された貨幣、および包装硬貨収納ユニット１８０の収納ドロア１８２に収納されている貨幣がそれぞれ警送会社の管理権限により管理されるため、警送会社の警備員は、筐体１０１の内部から回収カセット１４０、１７０を取り出してこれらの回収カセット１４０、１７０に収納されている貨幣を回収カセット１４０、１７０ごと回収したり、包装硬貨収納ユニット１８０の収納ドロア１８２に包装硬貨を補充したりすることができるようになる。とりわけ、警送会社の警備員は、包装硬貨収納ユニット１８０の収納ドロア１８２に補充されるべき包装硬貨を店舗の店員等に手渡すことなく直接包装硬貨収納ユニット１８０の収納ドロア１８２に補充することができるため、店舗の店員等が不在でも収納ドロア１８２に包装硬貨を補充することができ、よって警備員にとっての利便性を向上させることができる。
【００４９】
次に、店舗の店長等の所定の権限を有する操作者が貨幣釣銭機に釣銭準備金としての貨幣を補充するために貨幣入出金機１００から貨幣（具体的には、包装硬貨）を取り出す動作について図７に示すフローチャートを用いて説明する。
【００５０】
店舗における所定の権限を有する管理者（例えば、店長等）が貨幣入出金機１００から包装硬貨を取り出すにあたり、最初に店長等は操作表示部１０４によって自分の識別番号およびパスワードを入力することにより当該店長等の認証を制御部１０２により行わせる。なお、操作表示部１０４によって識別番号およびパスワードを入力することにより店長等の認証が行われる代わりに、ＩＣカードの読み取りを行うカードリーダが貨幣入出金機１００に設けられており、店長等は所持するＩＣカードをカードリーダによって読み取らせることにより当該店長等の認証が行われるようになっていてもよい。ここで、本実施の形態では、包装硬貨収納ユニット１８０の収納ドロア１８２に収納されている包装硬貨が警送会社の管理権限により管理されているため、店舗における所定の権限を有しない一般の店員ではこの収納ドロア１８２から包装硬貨を取り出すことはできず、店長等の所定の権限を有する操作者のみが収納ドロア１８２から包装硬貨を取り出すことができるようになっている。そして、店長等の認証が制御部１０２において行われた後、この店長等は操作表示部１０４によって貨幣釣銭機の釣銭準備金として必要な包装硬貨の金種毎の本数を入力する。このことにより、貨幣入出金機１００の制御部１０２は、釣銭準備金として必要な包装硬貨の金種毎の本数に係る情報を受け付ける（ＳＴＥＰ１）。そして、当該情報が制御部１０２において受け付けられると、収納ユニットから回収カセット１４０、１７０への貨幣の受渡処理が行われる。より詳細には、制御部１０２において受け付けられた包装硬貨の金種毎の本数分の金額と同額の貨幣が収納ユニットから回収カセット１４０、１７０に送られる（ＳＴＥＰ２）。
【００５１】
具体的に説明すると、収納ユニットから回収カセット１４０、１７０への貨幣の受渡処理が行われる際に、紙幣処理ユニット１１０において各収納繰出部１３４、１３６に収納されている紙幣が紙幣繰出機構１３５、１３７により搬送部１３０に繰り出され、この搬送部１３０により紙幣が回収カセット１４０に送られたり、硬貨処理ユニット１５０において各収納繰出部１６０に収納されている硬貨が当該収納繰出部１６０から出金搬送部１６２に繰り出され、出金搬送部１６２により搬送される硬貨が第２分岐部１６４により分岐されて回収カセット１７０に送られたりするようになる。なお、収納ユニットから回収カセット１４０、１７０への貨幣の受渡処理は、上述したように各収納繰出部１３４、１３６、１６０から繰り出された貨幣を回収カセット１４０、１７０に送る態様に限定されることはなく、他の様々な態様を用いることができる。例えば、収納ユニットから回収カセット１４０、１７０への貨幣の受渡処理が行われる際に、店長等は紙幣受入部１２０や硬貨受入部１５２に貨幣を投入し、これらの紙幣受入部１２０や硬貨受入部１５２により筐体１０１の内部に投入された貨幣が各収納繰出部１３４、１３６、１６０に収納されることなくそのまま回収カセット１４０、１７０に送られるようになっていてもよい。また、更に他の例として、収納ユニットから回収カセット１４０、１７０への貨幣の受渡処理が行われる際に、制御部１０２において受け付けられた包装硬貨の金種毎の本数分の金額と同額の紙幣が収納されている収納カセット１２７を店長等がカセット装着部１２６に装着し、この装着された収納カセット１２７から筐体１０１の内部に繰り出された紙幣が回収カセット１４０に送られるようになっていてもよい。
【００５２】
そして、制御部１０２において受け付けられた包装硬貨の金種毎の本数分の金額と同額の貨幣が収納ユニットから回収カセット１４０、１７０に送られると、包装硬貨収納ユニット１８０におけるロック機構１８４による収納ドロア１８２のロックが解除される（ＳＴＥＰ３）。このことにより、店長等は収納ドロア１８２を筐体１０１の内部から引き出してこの収納ドロア１８２から包装硬貨を取り出すことができるようになる。なお、収納ドロア１８２から取り出された包装硬貨の金額は、重量計１８６により測定される包装硬貨の重量に基づいて検知手段１０８により検知される。
【００５３】
そして、制御部１０２において、収納ユニットから回収カセット１４０、１７０に送られた貨幣の金額と、検知手段１０８により検知された、収納ドロア１８２から取り出された包装硬貨の金額とが比較される。そして、両者の金額が一致すれば（ＳＴＥＰ４の「ＹＥＳ」）、包装硬貨収納ユニット１８０においてロック機構１８４により収納ドロア１８２を筐体１０１の内部に再びロック可能となる。このことにより、店長等が収納ドロア１８２を筐体１０１の内部に戻すと、当該収納ドロア１８２はロック機構１８４により筐体１０１の内部でロックされる（ＳＴＥＰ５）。このようにして、店舗の店長等が貨幣入出金機１００から包装硬貨を取り出す動作が完了する。一方、収納ドロア１８２が筐体１０１の内部に戻されたときに、両者の金額が一致しない場合には（ＳＴＥＰ４の「ＮＯ」）、収納ドロア１８２から取り出された包装硬貨の本数に誤りがある旨の警告メッセージが操作表示部１０４に表示される（ＳＴＥＰ６）。このことにより、店長等は、最初に操作表示部１０４によって入力した貨幣釣銭機の釣銭準備金として必要な包装硬貨の金種毎の本数と、実際に収納ドロア１８２から取り出した包装硬貨の金種毎の本数とが一致しないことに気づくことができるようになる。また、この場合には、包装硬貨収納ユニット１８０においてロック機構１８４により収納ドロア１８２を筐体１０１の内部にロックできなくなる（ＳＴＥＰ７）。このことにより、収納ドロア１８２が筐体１０１の内部に戻されても収納ドロア１８２が筐体１０１の内部にロックされないため、店長等は収納ドロア１８２から取り出された包装硬貨の本数に誤りがあることに気づくことができるようになる。また、収納ドロア１８２が筐体１０１の内部に戻されても収納ドロア１８２が筐体１０１の内部にロックされない場合には、貨幣入出金機１００から包装硬貨を取り出す動作が完了しない。このため、収納ユニットから回収カセット１４０、１７０に送られた貨幣の金額と、検知手段１０８により検知された、収納ドロア１８２から取り出された包装硬貨の金額とが一致するまで、制御部１０２において包装硬貨収納ユニット１８０からの包装硬貨の取り出しモードが続行されるようになる。
【００５４】
このように、図７に示すフローチャートに基づく貨幣入出金機１００からの包装硬貨の取り出し方法によれば、収納ユニットから回収カセット１４０、１７０に貨幣がまず送られることにより当該貨幣の管理権限が店舗の管理権限から警送会社の管理権限に変えられた後、包装硬貨収納ユニット１８０の収納ドロア１８２から店舗の店長等により包装硬貨が取り出されることによりこの包装硬貨の管理権限が警送会社の管理権限から店舗の管理権限に変えられる。また、収納ユニットから回収カセット１４０、１７０に送られた貨幣の金額と同額の包装硬貨が店長等により収納ドロア１８２から取り出されるため、店舗の管理権限により管理される貨幣の金額および警送会社の管理権限により管理される貨幣の金額は変わらないようになる。このように、本実施の形態では、店舗の管理権限により管理される貨幣の金額および警送会社の管理権限により管理される貨幣の金額を変えることなく、警送会社の管理権限により管理される収納ドロア１８２から店舗の店長等が包装硬貨を取り出すことができるようになる。
【００５５】
以上のような構成からなる本実施の形態の貨幣入出金機１００によれば、制御部１０２は、収納ユニットの収納繰出部１３４、１３６、１６０（収納部）に収納されている貨幣を第１の管理権限（具体的には、店舗の管理権限）により管理するとともに、回収カセット１４０、１７０（回収部）に収納されている貨幣と、収納ドロア１８２（補充部）に収納されている貨幣とをそれぞれ第１の管理権限とは異なる第２の管理権限（具体的には、警送会社の管理権限）により管理するようになっている。このことにより、外部装置（具体的には、例えば貨幣釣銭機）に補充されるべき貨幣が収納される補充部（具体的には、包装硬貨収納ユニット１８０の収納ドロア１８２）の管理権限を、収納ユニットの管理権限と異ならせることができる。
【００５６】
より詳細に説明すると、従来の貨幣入出金機では、警送会社の警備員は、当該警送会社の管理センターから店舗に運搬した釣銭準備金としての貨幣を店舗の店員等に手渡していた。そして、警備員から釣銭準備金としての貨幣を受け取った店舗の店員等が当該貨幣を貨幣入出金機の投入部に投入していた。より詳細には、従来の貨幣入出金機では、包装硬貨収納ユニットが警送会社の管理権限により管理されていなかったため、警備会社の警備員は店舗に配送した釣銭準備金としての包装硬貨を包装硬貨収納ユニットにそのまま収納することができないという問題があった。これに対し、本実施の形態では、包装硬貨収納ユニット１８０の収納ドロア１８２の管理権限が収納ユニットの管理権限（すなわち、店舗の管理権限）とは異なっているため、警備会社の警備員は店舗に配送した釣銭準備金としての包装硬貨を収納ドロア１８２にそのまま収納することができるようになり、店舗の店員等に釣銭準備金としての包装硬貨を手渡す必要がなくなるため、警備会社の警備員にとっての作業負荷を軽減することができるようになる。
【００５７】
なお、本実施の形態では、収納ユニットの収納繰出部１３４、１３６、１６０に収納されている貨幣を管理する第１の管理権限は、店舗等の貨幣入出金機１００が設置される施設の管理権限に限定されることはなく、他の様々な事業体の管理権限とすることができる。また、回収カセット１４０、１７０（回収部）に収納されている貨幣と、収納ドロア１８２（補充部）に収納されている貨幣とをそれぞれ管理する第２の管理権限は、警送会社等の回収部から貨幣を回収する組織の管理権限に限定されることはなく、他の様々な事業体の管理権限とすることができる。
【００５８】
また、本実施の形態による貨幣入出金機１００は、上述したような態様に限定されることはなく、様々な変更を加えることができる。
【００５９】
例えば、貨幣釣銭機等の外部装置に補充されるべき貨幣が収納される補充部は、包装硬貨を収納するものに限定されることはない。本発明に係る貨幣処理機における補充部として、包装硬貨以外の貨幣を収納するものが用いられてもよい。
【００６０】
また、本実施の形態において、釣銭準備金として包装硬貨のみならず紙幣も警送会社の警備員により店舗に配送される場合には、このような紙幣は貨幣入出金機１００の筐体１０１内に装着されている回収カセット１４０（すなわち、収納繰出部１３４、１３６から回収された紙幣が収納されている回収カセット１４０）とは別の回収カセットに収納された状態で店舗に配送される。そして、警送会社の警備員は、収納繰出部１３４、１３６から回収された紙幣が収納されている回収カセット１４０と交換する形で、釣銭準備金としての紙幣が収納されている回収カセットを貨幣入出金機１００の筐体１０１内に装着する。また、釣銭準備金としての紙幣が回収カセットに収納された状態で店舗に配送される場合には、店舗における特定の権限を有する操作者（例えば、店長等）が、貨幣入出金機１００の筐体１０１に装着されているこの回収カセット（すなわち、釣銭準備金としての紙幣が収納されている回収カセット）を筐体１０１の外部に取り出してこの回収カセットから紙幣を取り出すことができるようになっている。このことにより、店舗における特定の権限を有する操作者は、回収カセットから取り出された紙幣を貨幣釣銭機等の外部装置に補充したり貨幣入出金機１００の紙幣処理ユニット１１０に投入して各収納繰出部１３４、１３６に補充したりすることができるようになる。
【００６１】
また、本実施の形態において、店舗における特定の権限を有する操作者（例えば、店長等）によって貨幣入出金機１００における包装硬貨収納ユニット１８０の収納ドロア１８２から取り出された包装硬貨が貨幣釣銭機等の外部装置に補充されることに加えて、または収納ドロア１８２から取り出された包装硬貨が貨幣釣銭機等の外部装置に補充される代わりに、収納ドロア１８２から取り出された包装硬貨の包装紙が店舗における特定の権限を有する操作者により解かれてバラ硬貨とされた後にこのバラ硬貨が貨幣入出金機１００の硬貨処理ユニット１５０に投入されて各収納繰出部１６０に補充されるようになっていてもよい。
【００６２】
また、本実施の形態による貨幣入出金機１００において補充部としての包装硬貨収納ユニット１８０が筐体１０１に設けられておらず、包装硬貨収納ユニット１８０と同様の構成の包装硬貨収納ユニット（補充部）が本実施の形態による貨幣入出金機１００とは別に設置されていてもよい。この場合に、このような貨幣入出金機１００および包装硬貨処理ユニットを組み合わせることにより貨幣処理システムが構成されていてもよい。また、このような貨幣処理システムにおいて、貨幣入出金機１００における収納ユニットの収納繰出部１３４、１３６、１６０に収納されている貨幣を第１の管理権限（具体的には、店舗の管理権限）により管理するとともに、貨幣入出金機１００の回収カセット１４０、１７０に回収された貨幣と、貨幣入出金機１００とは別に設けられた包装硬貨収納ユニットに収納されている貨幣の少なくとも一部とをそれぞれ第１の管理権限とは異なる第２の管理権限（具体的には、警送会社の管理権限）により管理する制御部が設けられている。ここで、このような制御部は貨幣入出金機１００に配置されていてもよいし、包装硬貨処理ユニットに配置されていてもよいし、あるいは貨幣入出金機１００や包装硬貨処理ユニットとは別に設けられた外部装置（例えば、貨幣入出金機１００の管理を行う上位端末）に配置されていてもよい。
【００６３】
また、上記の説明では補充部としての包装硬貨収納ユニット１８０の収納ドロア１８２に収納されている全ての包装硬貨の管理権限が警送会社の管理権限である態様について述べたが、本実施の形態はこのような態様に限定されることはない。例えば、収納ドロア１８２に収納されている包装硬貨の一部が警送会社の管理権限により管理され、収納ドロア１８２に収納されている包装硬貨の別の一部が店舗の管理権限により管理されるようになっていてもよい。より詳細には、収納ドロア１８２における奥側の収納領域に収納される包装硬貨（例えば、各収納領域１８０ｄ〜１８０ｆに収納されている包装硬貨）が警送会社の管理権限により管理され、収納ドロア１８２における手前側の収納領域に収納される包装硬貨（例えば、各収納領域１８０ａ〜１８０ｃに収納されている包装硬貨）が店舗の管理権限により管理されるようになっていてもよい。この場合には、警送会社の警備員が貨幣入出金機１００に包装硬貨を補充する際に、収納ドロア１８２における奥側の収納領域に包装硬貨を収納する。また、店舗の店長等が貨幣入出金機１００から釣銭準備金としての包装硬貨を取り出す際に、当該店長等は収納ドロア１８２における奥側の収納領域から手前側の収納領域に包装硬貨を移した後に、釣銭準備金として必要な包装硬貨のみを収納ドロア１８２から取り出すようになる。また、重量計１８６は、収納ドロア１８２の各収納領域１８０ａ〜１８０ｆに収納されている包装硬貨の重量を各収納領域１８０ａ〜１８０ｆ毎に測定することができるようになっているため、収納ドロア１８２に収納されている包装硬貨のうち、店舗の管理権限により管理される包装硬貨の金種毎の本数および警送会社の管理権限により管理される包装硬貨の金種毎の本数をそれぞれ検知することができるようになる。
【００６４】
また、この場合には、操作者の権限によって筐体１０１の内部からの収納ドロア１８２の引出量が変更可能となっていてもよい。例えば、警備会社の警備員および店舗における店長等の所定の権限を有する管理者の認証が制御部１０２により行われた場合には、筐体１０１から収納ドロア１８２を全て引き出すことができるようになる。このことにより、収納ドロア１８２における奥側の収納領域に包装硬貨を入れたり当該収納領域から包装硬貨を取り出したりすることができるようになる。一方、店舗における所定の権限を有しない一般の店員の認証が制御部１０２により行われた場合には、筐体１０１から収納ドロア１８２における手前側の収納領域のみを引き出すことができるようになる。この場合には、収納ドロア１８２に収納されている包装硬貨のうち店舗の管理権限により管理される包装硬貨にはアクセス可能となるが警送会社の管理権限により管理される包装硬貨にはアクセスすることができなくなる。このため、店舗の店員は、収納ドロア１８２に収納されている包装硬貨のうち店舗の管理権限により管理される包装硬貨のみを当該収納ドロア１８２から取り出すことができるようになる。
【００６５】
また、収納ドロア１８２における手前側の収納領域（すなわち、店舗の管理権限により管理される包装硬貨が収納される収納領域）および奥側の収納領域（すなわち、警送会社の管理権限により管理される包装硬貨が収納される収納領域）がそれぞれ別の蓋により閉止されるようになっていてもよい。そして、例えば警備会社の警備員および店舗の店長等は両方の蓋を開くことができるが、店舗における一般の店員は手前側の収納領域を閉止する蓋のみを開くことができるようになっていてもよい。この場合でも、店舗における一般の店員は、収納ドロア１８２に収納されている包装硬貨のうち店舗の管理権限により管理される包装硬貨のみを当該収納ドロア１８２から取り出すことができるようになる。
【００６６】
また、収納ドロア１８２に収納されている包装硬貨の管理権限を店舗の管理権限と警送会社の管理権限とに分けるにあたり、各管理権限を収納ドロア１８２における手前側の収納領域および奥側の収納領域にそれぞれ割り当てるのではなく、収納ドロア１８２における手前側から見て左側の収納領域および右側の収納領域にそれぞれ店舗の管理権限および警送会社の管理権限を割り当てるようにしてもよい。
【００６７】
また、本実施の形態の貨幣入出金機１００では、紙幣処理ユニット１１０や硬貨処理ユニット１５０において貨幣を計数している途中でエラーが発生したときに、当該エラーの解除を操作者（例えば、顧客）が行うことができない場合には、これらの紙幣処理ユニット１１０や硬貨処理ユニット１５０から取り除いた貨幣を、貨幣入出金機１００の筐体１０１内におけるロックが掛かる箇所に入れて保管することができるようになっていてもよい。この場合に、別の操作者が貨幣入出金機１００の前に立ったときに一時的に保管されている貨幣を取り出すことができないように、貨幣入出金機１００の筐体１０１内におけるロックが掛かる箇所に貨幣が入れられた後、操作表示部１０４においてパスワードを入力したり操作者が所持するＩＣカードをカードリーダによって読み取らせたりすることにより当該貨幣が取り出し不可となるようロックを掛けることができるようになっている。また、この際に、ロックを掛けた操作者への連絡方法に係る情報も設定することができるようになっていてもよい。
【００６８】
その後、メンテナンス員が貨幣入出金機１００に到着すると、メンテナンス員が到着した旨の情報がロックを掛けた操作者に連絡される。そして、この操作者が貨幣入出金機１００においてロックを解除することにより、貨幣入出金機１００の筐体１０１内から貨幣を取り出すことができるようになる。その後、メンテナンス員が操作者の立ち会いの下で貨幣入出金機１００のエラーの解除を行う。このことにより、操作者は貨幣入出金機１００において貨幣の処理を引き続き行うことができるようになる。
【００６９】
このような貨幣入出金機１００によれば、紙幣処理ユニット１１０や硬貨処理ユニット１５０において貨幣を計数している途中でエラーが発生したときに、当該エラーの解除を操作者（例えば、顧客）が行うことができない場合でも、メンテナンス員が貨幣入出金機１００に到着するまで操作者は貨幣入出金機１００から離れることができるため、顧客等を貨幣入出金機１００の前で拘束してしまうことを防止することができ、顧客等の負担を軽減することができる。また、顧客等の拘束が減るためメンテナンス員は貨幣入出金機１００のエラーの解除を行う時間を後にずらす等の調整を行うことができ、メンテナンス員の負荷も軽減することができるようになる。
【００７０】
なお、貨幣入出金機１００の筐体１０１内におけるロックが掛かる箇所としては、例えば包装硬貨収納ユニット１８０の収納ドロア１８２、紙幣処理ユニット１１０のカセット装着部１２６、その他の空きスペース等が考えられる。また、貨幣入出金機１００に一時保留部や貨幣以外の物品を収納する物品収納部が設けられている場合には、貨幣入出金機１００の筐体１０１内におけるロックが掛かる箇所としてこれらの一時保留部や物品収納部が用いられてもよい。
【００７１】
また、本発明に係る貨幣処理機として、図８乃至図１３に示す貨幣処理装置２０１が用いられてもよい。ここで、図８は、本実施の形態による他の構成の貨幣処理装置２０１の外観を示す斜視図であり、図９乃至図１１は、それぞれ、図８に示す貨幣処理装置２０１における紙幣処理部３００、硬貨処理部４００および包装硬貨処理部５００の内部構成を側方から見たときの構成図である。また、図１２は、図８に示す貨幣処理装置２０１における制御系の構成を示す機能ブロック図であり、図１３は、図８に示す貨幣処理装置２０１における収納ユニット、回収カセット３４４、４７０および包装硬貨収納トレイ５４０の管理権限を示す説明図である。
【００７２】
図８および図９に示すように、紙幣処理部３００の筐体前面側上部には、入金する紙幣の投入および出金する紙幣の排出を行う紙幣入出金口３２０が設けられている。紙幣入出金口３２０は、紙幣入金口および紙幣出金口として機能する。紙幣入出金口３２０には、開閉可能なシャッタ機構３０１が設けられており、通常は、紙幣入出金口３２０がシャッタによって閉止されている。紙幣を入出金する際には、シャッタ機構３０１によってシャッタが開いて紙幣入出金口３２０が開放され、紙幣を入出金できるようになっている。
【００７３】
このような紙幣処理部３００における紙幣の入金処理について説明する。操作部２１２を操作して入金処理を開始すると、シャッタ機構３０１によってシャッタが開かれ、紙幣入出金口３２０が開放される。入金する紙幣を紙幣入出金口３２０に投入すると、再びシャッタが閉じて、紙幣入出金口３２０に投入された紙幣が、紙幣繰出機構３２１によって、１枚ずつ紙幣搬送部３３０を構成する紙幣搬送路上に繰り出される。紙幣搬送路上に繰り出された紙幣は、時計回りに紙幣を搬送するループ状の紙幣搬送路を紙幣識別部３３１に向けて搬送される。紙幣搬送部３３０は、紙幣搬送路と、紙幣搬送路の複数箇所に設けられた分岐部材３３６とを含み、紙幣搬送路上を搬送する紙幣を分岐部材３３６によって分岐搬送路へ送ることにより、紙幣の搬送先を制御できるようになっている。
【００７４】
紙幣識別部３３１は、紙幣搬送部３３０によって搬送される紙幣の金種、正損、真偽等を識別して計数する機能を有する。紙幣識別部３３１を経て、ループ状の紙幣搬送路を時計回りに搬送される紙幣のうち、紙幣識別部３３１によって識別できない紙幣、正常な紙幣ではないと識別された紙幣、搬送異常（斜行、重送、連鎖等）が検出された紙幣等は、入金できないリジェクト紙幣として返却するため、装置前方へ向けて搬送され、入金リジェクト部３２４に集積される。一方、入金可能な正常紙幣は、紙幣一時保留部３４２に一時保留される。
【００７５】
紙幣入出金口３２０に投入された全ての紙幣を紙幣識別部３３１によって識別して、紙幣一時保留部３４２または入金リジェクト部３２４に集積した後、表示部２１１には、入金紙幣の識別計数結果が表示される。表示を確認した利用者が操作部２１２により入金処理をキャンセルすると、紙幣一時保留部３４２に一時保留されていた紙幣が紙幣繰出機構３４３によって紙幣搬送路上へ繰り出されて紙幣入出金口３２０へ返却される。一方、利用者が入金処理を確定する操作を行うと、紙幣一時保留部３４２に一時保留されていた紙幣は、紙幣搬送路上へ繰り出されて、対応する金種別紙幣収納部３４０に収納される。例えば、金種別紙幣収納部３４０ａに一万円札を収納して、金種別紙幣収納部３４０ｂに五千円札を収納して、金種別紙幣収納部３４０ｃに千円札を収納する。
【００７６】
このとき、各金種別紙幣収納部３４０に割り当てられていない二千円札等の紙幣、金種別紙幣収納部３４０に割り当てられている金種の紙幣であるが出金処理に利用できない傷んだ紙幣（損券）等は、紙幣回収カセット３４４に収納される。紙幣回収カセット３４４は、装置前面の扉３０３を開いて装置外へ取り外せるように、装置に対して脱着可能に設けられており、金種別紙幣収納部３４０から回収する紙幣の収納にも利用することができる。具体的には、回収する紙幣を金種別紙幣収納部３４０から繰り出して、紙幣回収カセット３４４に収納した後、紙幣回収カセット３４４を装置から取り外して回収する。また、紙幣回収カセット３４４にも紙幣繰出機構３４５が設けられており、紙幣回収カセット３４４に補充用の紙幣を収納しておいて、補充用の紙幣を紙幣搬送路に繰り出して金種別紙幣収納部３４０に補充することも可能となっている。
【００７７】
次に、紙幣処理部３００における紙幣の出金処理について説明する。表示部２１１に表示される情報を確認しながら操作部２１２を操作して出金処理を開始して、出金する紙幣の金種および枚数を指定すると、指定された金種および枚数の紙幣が、対応する金種別紙幣収納部３４０から１枚ずつ繰り出されて、ループ状の紙幣搬送路上を紙幣識別部３３１に向けて反時計回りに搬送される。紙幣の繰り出しは、各金種別紙幣収納部３４０に設けられている紙幣繰出機構３４１によって行われる。紙幣識別部３３１で金種等を識別された紙幣は、引き続き反時計回りに紙幣入出金口３２０へ向けて搬送される。そして、紙幣識別部３３１によって出金できないと判定された紙幣は、紙幣入出金口３２０へ搬送されることなく途中で分岐され、リジェクト紙幣として出金リジェクト部３２６に集積される。一方、出金可能と識別された紙幣は、紙幣入出金口３２０に集積される。全ての出金紙幣を紙幣入出金口３２０に集積し終えると、シャッタ機構３０１によってシャッタが開かれる。利用者が、紙幣入出金口３２０の全ての紙幣を抜き取ると、シャッタ機構３０１が再びシャッタを閉じて出金処理を完了する。
【００７８】
図８および図１０に示すように、硬貨処理部４００は略直方体形状の筐体を有し、筐体上面には、硬貨を投入するための硬貨入金口４０１が設けられている。硬貨入金口４０１は、シャッタ機構および供給ホッパ４１０を含み、通常は供給ホッパ４１０がシャッタにより閉止された状態にあり、硬貨を入金する際には、シャッタが開いて、上面が開放された供給ホッパ４１０内に多数の硬貨を投入できるようになっている。
【００７９】
このような硬貨処理部４００における硬貨の入金処理について説明する。入金処理を開始すると、硬貨入金口４０１のシャッタが開いて供給ホッパ４１０が開放される。硬貨入金口４０１から供給ホッパ４１０内に硬貨を投入した後、再び供給ホッパ４１０がシャッタによって閉止され、供給ホッパ４１０内に投入された硬貨は硬貨繰出ホッパ４１１に送られる。硬貨繰出ホッパ４１１内の硬貨は、１枚ずつ硬貨搬送路に繰り出されて硬貨搬送部によって搬送される。硬貨搬送路には入金硬貨識別部４２０が設けられており、入金硬貨識別部４２０は、硬貨搬送部によって搬送される硬貨の金種、正損、真偽等を識別して計数する。入金硬貨識別部４２０の搬送方向下流側にある硬貨搬送路には、入金硬貨リジェクト部４０２、または入金硬貨一時保留部４３０に各硬貨を落下させるためのシュートが設けられており、入金硬貨識別部４２０による識別結果に基づいて各硬貨が入金硬貨リジェクト部４０２または入金硬貨一時保留部４３０に送られる。入金硬貨リジェクト部４０２に集積された硬貨は、硬貨処理部４００の筐体前面から取り出せるようになっている。なお、図１０では、硬貨搬送部によって硬貨搬送路を搬送される硬貨を含め、硬貨の流れを、各部を接続する矢印で示している。
【００８０】
入金硬貨一時保留部４３０は７つの収納部に区分けされている。例えば、背面側から６つの収納部を、背面側から順に５００円硬貨、１０円硬貨、１００円硬貨、５０円硬貨、１円硬貨、５円硬貨の一時保留に利用して、一番手前にある収納部には金種は割り当てず任意の金種の硬貨を一時保留するために利用する。例えば、出金に利用できない硬貨を損貨として一番手前の収納部に一時保留して、出金に利用可能な硬貨はこの収納部より背面側にある６つの収納部に金種別に一時保留する。
【００８１】
入金硬貨一時保留部４３０は筐体内で装置の左右方向に略水平に移動可能に設けられており、中央位置では底面が閉止されて内部に硬貨を一時保留するが、左または右へ移動すると底面が開放され、一時保留されている硬貨が落下するようになっている。
【００８２】
図１０では、硬貨の流れを説明するため、入金硬貨返却箱４０３と、任意硬貨収納部４４１および金種別硬貨収納部４４０とを上下に並べて示しているが、実際には、入金硬貨一時保留部４３０の下方で、装置を利用する利用者から見て右側に入金硬貨返却箱４０３が配置され、左側に任意硬貨収納部４４１および金種別硬貨収納部４４０が配置されている。入金硬貨一時保留部４３０が、左右いずれかの方向へ移動することにより、入金硬貨返却箱４０３と、任意硬貨収納部４４１および金種別硬貨収納部４４０とのいずれかに選択的に一時保留硬貨を放出するようになっている。
【００８３】
硬貨入金口４０１に投入された全ての硬貨を入金硬貨識別部４２０によって識別して、入金硬貨一時保留部４３０または入金硬貨リジェクト部４０２に集積した後、表示部２１１には、入金硬貨の識別計数結果が表示される。表示を確認した利用者が操作部２１２により入金処理をキャンセルする操作を行うと、入金硬貨一時保留部４３０が右側に移動して、入金硬貨一時保留部４３０の底面が開放され、一時保留されている全ての硬貨が入金硬貨返却箱４０３に収納される。入金硬貨返却箱４０３は硬貨処理部４００の筐体前面から引き出せるようになっており、入金硬貨返却箱４０３を引き出して、返却された硬貨を取り出せるようになっている。
【００８４】
一方、識別結果を確認した利用者が操作部２１２で入金処理を確定する操作を行うと、入金硬貨一時保留部４３０が左側に移動して、入金硬貨一時保留部４３０の底面が開放され、一時保留されている全ての硬貨が、任意硬貨収納部４４１および金種別硬貨収納部４４０に収納される。なお、金種別硬貨収納部４４０は、入金硬貨一時保留部４３０に対応して複数の収納部に区分けされており、入金硬貨一時保留部４３０に金種別に収納された硬貨がそのまま金種別硬貨収納部４４０に金種別に収納されるようになっている。
【００８５】
次に、硬貨処理部４００における硬貨の出金処理について説明する。出金処理時には、出金対象となる金種の硬貨が出金枚数分だけ、金種別硬貨収納部４４０から硬貨搬送路に１枚ずつ繰り出される。そして、硬貨搬送路に繰り出された硬貨は、出金硬貨識別部４５０により金種および枚数の確認が行われた後、出金硬貨一時保留部４６０に一時保留される。出金対象となる全硬貨の一時保留を終えると、出金硬貨一時保留部４６０に一時保留されている全ての硬貨が硬貨出金箱４０４へ放出される。硬貨出金箱４０４は、その背面側に設けられている硬貨回収カセット４７０と共に筐体前面側から手前に引き出せるように構成されている。出金処理時には、硬貨出金箱４０４のみが露出するように装置手前側に引き出して出金硬貨を取り出すことができる。硬貨出金箱４０４は硬貨を出金する硬貨出金口として機能する。
【００８６】
硬貨回収カセット４７０は、出金処理がキャンセルされた場合に出金硬貨一時保留部４６０に一時保留されている硬貨を収納するために利用する。また、硬貨回収カセット４７０は、任意硬貨収納部４４１および金種別硬貨収納部４４０からの硬貨の回収にも利用することができる。回収する硬貨を硬貨回収カセット４７０に収納した後、硬貨回収カセット４７０が装置外に露出した状態となるまで装置手前側に引き出す。硬貨回収カセット４７０は装置に対して脱着可能に設けられており、内部に硬貨を収納した硬貨回収カセット４７０を装置から取り外して運搬できるようになっている。
【００８７】
また、本実施の形態では、紙幣処理部３００の紙幣入出金口３２０、紙幣繰出機構３２１、紙幣搬送部３３０、紙幣識別部３３１、分岐部材３３６、入金リジェクト部３２４、各金種別紙幣収納部３４０、紙幣一時保留部３４２、ならびに硬貨処理部４００の供給ホッパ４１０、硬貨繰出ホッパ４１１、入金硬貨識別部４２０、入金硬貨リジェクト部４０２、硬貨搬送部、入金硬貨一時保留部４３０、金種別硬貨収納部４４０を組み合わせることにより、貨幣処理装置２０１の外部から内部に投入された紙幣および硬貨を収納するとともに収納されている紙幣および硬貨を貨幣処理装置２０１の内部から外部に投出可能な収納ユニットが構成されている（図１３参照）。
【００８８】
図１１に示すように、包装硬貨処理部５００の筐体内には、包装硬貨を整列状態で収納するための複数の包装硬貨収納トレイ５４０が設けられている。また、筐体前面側の上部には、シャッタ機構を有する包装硬貨出金口５０１が設けられており、通常は、包装硬貨出金口５０１がシャッタによって閉止されている。包装硬貨を出金する際には、シャッタが開いて、包装硬貨出金口５０１から包装硬貨を出金できるようになっている。
【００８９】
筐体背面には開閉扉５２１が設けられている。この開閉扉５２１を開いて包装硬貨収納トレイ５４０を背面側へ引き出した状態で、各包装硬貨収納トレイ５４０に包装硬貨を金種別に収納する。包装硬貨の長手方向が装置左右方向（図１１の紙面奥行方向）となるようにして包装硬貨を収納すると、収納された包装硬貨は、下降傾斜した包装硬貨収納トレイ５４０内を前方に移動して整列状態で収納される。包装硬貨収納トレイ５４０の前端には、最前列の包装硬貨の前面側を支える支え部５４１が形成されている。また、包装硬貨収納トレイ５４０の前端２箇所に、図示しない開口部が設けられており、包装硬貨搬送箱５５１に設けられた投出部材５５０がその開口部を通過しながら回転して包装硬貨を取り出すが詳細は後述する。
【００９０】
包装硬貨処理部５００には、包装硬貨の孔の有無を検出する孔センサ５１１、包装硬貨の径を測定する径センサ５１２、これらのセンサ５１１、５１２が配置された一対のセンサ基板５１３を含む包装硬貨検知センサ５１０と、一対のセンサ基板５１３を支持すると共に装置前後方向に沿って移動させるセンサ移動部５６０とが設けられている。センサ移動部５６０は、包装硬貨収納トレイ５４０の前端側および後端側に配置された複数のプーリ５６１と、前後のプーリ５６１に掛け渡された無端状のベルト５６２とを含み、ベルト５６２を正逆方向に回転させて、包装硬貨検知センサ５１０を包装硬貨収納トレイ５４０に沿って前後に往復移動させる。包装硬貨収納トレイ５４０を間に挟む形で対向配置されている包装硬貨検知センサ５１０を往復移動させることにより、検査光を投受光するセンサ５１１、５１２によって包装硬貨収納トレイ５４０内を走査して、包装硬貨の孔の有無、硬貨径、および包装硬貨の本数を検出することができる。これにより、包装硬貨処理部５００では、収納されている包装硬貨の金種および本数を管理できるようになっている。
【００９１】
図１１に示すように、包装硬貨収納トレイ５４０の前方側には、出金する包装硬貨を搬送するための包装硬貨搬送箱５５１と、包装硬貨搬送箱５５１を上下方向に移動させるための搬送箱移動部５３０とが設けられている。包装硬貨搬送箱５５１の包装硬貨収納トレイ５４０側（図１１の右側）に、反時計回りに回転駆動される投出部材５５０が設けられている。搬送箱移動部５３０は、包装硬貨搬送箱５５１の両側面（図１１の紙面奥行方向両側面）に設けられた一対の無端状のベルト５３２と、各ベルト５３２が掛け渡された状態で上下方向に配置された一対のプーリ５３１とを含み、プーリ５３１を正逆方向に回転させることにより包装硬貨搬送箱５５１を上下方向に移動させることができる。
【００９２】
包装硬貨を出金する際には、操作部２１２および表示部２１１を利用して、出金する包装硬貨の金種および本数を指定する。これにより、一番下の初期位置にある包装硬貨搬送箱５５１が上方へ移動して、出金する金種の包装硬貨が収納されている包装硬貨収納トレイ５４０の前で停止する。そして、投出部材５５０を反時計回りに回転駆動することにより、最前列に位置する包装硬貨をすくい上げて包装硬貨搬送箱５５１内に収納する。出金すべき本数の包装硬貨を包装硬貨搬送箱５５１に収納すると、次の金種の包装硬貨について同様の動作を繰り返す。こうして全ての金種について出金すべき包装硬貨を包装硬貨搬送箱５５１に収納した後、包装硬貨搬送箱５５１は、図１１の破線で示す最上部の出金位置まで移動する。包装硬貨搬送箱５５１が出金位置に到達すると、シャッタ機構によって包装硬貨出金口５０１のシャッタが開き、包装硬貨搬送箱５５１内から包装硬貨を取り出し可能な状態となる。包装硬貨搬送箱５５１から全ての包装硬貨が取り出されると、シャッタ機構は再びシャッタを閉じて包装硬貨出金口５０１を閉止する。そして、包装硬貨搬送箱５５１が最下部の初期位置へ移動して包装硬貨の出金処理を完了する。
【００９３】
図１２は、貨幣処理装置２０１における制御系の構成を示すブロック図である。貨幣処理装置２０１は、図８乃至図１１に示す表示部２１１、操作部２１２、プリンタ２２０、紙幣処理部３００、硬貨処理部４００および包装硬貨処理部５００の他に、通信部２３０と、記憶部２４０と、これら各部を制御する制御部２１０とを有している。
【００９４】
操作部２１２はキーボード等からなり、貨幣処理に関する設定情報や指示情報等、各種情報を入力するために利用する。また、表示部２１１は、液晶表示部等からなり、貨幣処理に関する各種情報を出力して表示するために利用する。プリンタ２２０は、入金処理や出金処理等、貨幣処理装置２０１で行われた貨幣処理に関する情報を印字するために利用する。
【００９５】
通信部２３０は、ＰＯＳサーバ等の外部装置との間でデータを送受信する機能を有する。また、記憶部２４０は半導体メモリやハードディスク等からなる不揮発性の記憶装置であり、制御部２１０が各部を制御するために必要なプログラムや、入金処理に関する設定、補充処理に関する設定等、各種設定情報の保存に利用する。その他、記憶部２４０には、出金処理に関する情報、入金処理に関する情報、レジ係の認証処理に必要な情報等、各種情報が保存されている。
【００９６】
次に、図８乃至図１２に示す貨幣処理装置２０１における、収納ユニット（具体的には、金種別紙幣収納部３４０や金種別硬貨収納部４４０）に収納されている貨幣、紙幣回収カセット３４４や硬貨回収カセット４７０に回収された貨幣、および包装硬貨処理部５００の包装硬貨収納トレイ５４０に収納されている貨幣がどの管理権限により管理されるかについて図１３を用いて説明する。本実施の形態では、貨幣処理装置２０１の内部にある貨幣を管理する管理権限として、店舗の管理権限（第１の管理権限）および警送会社の管理権限（第２の管理権限）という２つの管理権限がある。そして、収納ユニット（具体的には、金種別紙幣収納部３４０や金種別硬貨収納部４４０）に収納されている貨幣、紙幣回収カセット３４４や硬貨回収カセット４７０に回収された貨幣、および包装硬貨処理部５００の包装硬貨収納トレイ５４０に収納されている貨幣の各々について、概ね管理権限を有する操作者のみがアクセスすることができるようになっている。ここで、本実施の形態では、図１３に示すように、収納ユニット（具体的には、金種別紙幣収納部３４０や金種別硬貨収納部４４０）に収納されている貨幣の管理権限として、貨幣処理装置２０１が設置される施設（具体的には、店舗）の管理権限が割り当てられている。一方、紙幣回収カセット３４４や硬貨回収カセット４７０に回収された貨幣、および包装硬貨処理部５００の包装硬貨収納トレイ５４０に収納されている貨幣（具体的には、包装硬貨）の管理権限として、紙幣回収カセット３４４や硬貨回収カセット４７０により店舗から貨幣を回収する組織（具体的には、警送会社）の管理権限が割り当てられている。また、後述するように、本実施の形態では、店舗における特定の権限を有する操作者（例えば、店長等）のみが、包装硬貨処理部５００の包装硬貨収納トレイ５４０に収納されている包装硬貨を当該包装硬貨処理部５００から出金することができるようになっている。一方、紙幣回収カセット３４４や硬貨回収カセット４７０に回収された貨幣は、店舗における特定の権限を有する操作者であっても貨幣処理装置２０１の内部から外部に取り出すことができないようになっている。
【００９７】
次に、警送会社の警備員が本実施の形態の貨幣処理装置２０１に貨幣（具体的には、包装硬貨）を補充したり当該貨幣処理装置２０１から売上金としての貨幣を回収したりする動作について説明する。まず、警送会社の警備員は、貨幣釣銭機で用いられる釣銭準備金としての貨幣（具体的には、包装硬貨）を警送会社の管理センターから店舗に運搬する。次に、警備員は操作部２１２によって自分の識別番号およびパスワードを入力することにより当該警備員の認証を制御部２１０により行わせる。なお、操作部２１２によって識別番号およびパスワードを入力することにより警備員の認証が行われる代わりに、ＩＣカードの読み取りを行うカードリーダが貨幣処理装置２０１に設けられており、警備員は所持するＩＣカードをカードリーダによって読み取らせることにより当該警備員の認証が行われるようになっていてもよい。そして、制御部２１０において警備員の認証が行われると、扉３０３のロックが解除されてこの扉３０３を開くことができるようになる。このことにより、警備員は紙幣処理部３００の内部から紙幣回収カセット３４４を取り出してこの紙幣回収カセット３４４に収納されている紙幣を紙幣回収カセット３４４ごと回収することができるようになる。また、制御部２１０において警備員の認証が行われると、硬貨回収カセット４７０を硬貨処理部４００の内部から外部に取り出し可能となる。このことにより、警備員は硬貨処理部４００の内部から硬貨回収カセット４７０を取り出してこの硬貨回収カセット４７０に収納されている硬貨を硬貨回収カセット４７０ごと回収することができるようになる。また、制御部２１０において警備員の認証が行われると、包装硬貨処理部５００の開閉扉５２１が開くことにより警備員は各包装硬貨収納トレイ５４０に包装硬貨を補充することができるようになる。このように、本実施の形態では、紙幣回収カセット３４４や硬貨回収カセット４７０に回収された貨幣、および包装硬貨処理部５００の包装硬貨収納トレイ５４０に収納されている貨幣がそれぞれ警送会社の管理権限により管理されるため、警送会社の警備員は、紙幣処理部３００や硬貨処理部４００の内部から紙幣回収カセット３４４や硬貨回収カセット４７０を取り出してこれらの紙幣回収カセット３４４や硬貨回収カセット４７０に収納されている貨幣を紙幣回収カセット３４４や硬貨回収カセット４７０ごと回収したり、包装硬貨処理部５００の包装硬貨収納トレイ５４０に包装硬貨を補充したりすることができるようになる。とりわけ、警送会社の警備員は、包装硬貨処理部５００の包装硬貨収納トレイ５４０に補充されるべき包装硬貨を店舗の店員等に手渡すことなく直接包装硬貨処理部５００の包装硬貨収納トレイ５４０に補充することができるため、店舗の店員等が不在でも包装硬貨収納トレイ５４０に包装硬貨を補充することができ、よって警備員にとっての利便性を向上させることができる。
【００９８】
次に、店舗の店長等の所定の権限を有する操作者が貨幣釣銭機に釣銭準備金としての貨幣を補充するために貨幣処理装置２０１から貨幣（具体的には、包装硬貨）を取り出す動作について以下に説明する。
【００９９】
店舗における所定の権限を有する管理者（例えば、店長等）が貨幣処理装置２０１から包装硬貨を取り出すにあたり、最初に店長等は操作部２１２によって自分の識別番号およびパスワードを入力することにより当該店長等の認証を制御部２１０により行わせる。なお、操作部２１２によって識別番号およびパスワードを入力することにより店長等の認証が行われる代わりに、ＩＣカードの読み取りを行うカードリーダが貨幣処理装置２０１に設けられており、店長等は所持するＩＣカードをカードリーダによって読み取らせることにより当該店長等の認証が行われるようになっていてもよい。ここで、本実施の形態では、包装硬貨処理部５００の包装硬貨収納トレイ５４０に収納されている包装硬貨が警送会社の管理権限により管理されているため、店舗における所定の権限を有しない一般の店員では包装硬貨処理部５００において包装硬貨収納トレイ５４０に収納されている包装硬貨の出金処理を行うことはできず、店長等の所定の権限を有する操作者のみが包装硬貨処理部５００において包装硬貨収納トレイ５４０に収納されている包装硬貨の出金処理を行うことができるようになっている。そして、店長等の認証が制御部２１０において行われた後、この店長等は操作部２１２によって貨幣釣銭機の釣銭準備金として必要な包装硬貨の金種毎の本数を入力する。その後、紙幣処理部３００や硬貨処理部４００において収納ユニットから紙幣回収カセット３４４や硬貨回収カセット４７０への貨幣の受渡処理が行われる。より詳細には、操作部２１２によって店長等により入力された包装硬貨の金種毎の本数分の金額と同額の貨幣が収納ユニットから紙幣回収カセット３４４や硬貨回収カセット４７０に送られる。
【０１００】
具体的に説明すると、収納ユニットから紙幣回収カセット３４４や硬貨回収カセット４７０への貨幣の受渡処理が行われる際に、紙幣処理部３００において各金種別紙幣収納部３４０に収納されている紙幣が紙幣繰出機構３４１により紙幣搬送部３３０に繰り出され、この紙幣搬送部３３０により紙幣が紙幣回収カセット３４４に送られたり、硬貨処理部４００において各金種別硬貨収納部４４０に収納されている硬貨が当該金種別硬貨収納部４４０から繰り出され、出金硬貨識別部４５０によって識別された後に硬貨回収カセット４７０に送られたりするようになる。なお、収納ユニットから紙幣回収カセット３４４や硬貨回収カセット４７０への貨幣の受渡処理は、上述したように各金種別紙幣収納部３４０や各金種別硬貨収納部４４０から繰り出された貨幣を紙幣回収カセット３４４や硬貨回収カセット４７０に送る態様に限定されることはなく、他の様々な態様を用いることができる。例えば、収納ユニットから紙幣回収カセット３４４や硬貨回収カセット４７０への貨幣の受渡処理が行われる際に、店長等は紙幣入出金口３２０や硬貨入金口４０１に貨幣を投入し、これらの紙幣入出金口３２０や硬貨入金口４０１により紙幣処理部３００や硬貨処理部４００の内部に投入された貨幣が各金種別紙幣収納部３４０や各金種別硬貨収納部４４０に収納されることなくそのまま紙幣回収カセット３４４や硬貨回収カセット４７０に送られるようになっていてもよい。また、更に他の例として、紙幣入出金口３２０や硬貨入金口４０１にはそれぞれ紙幣収納カセットおよび硬貨収納カセットが装着可能となっており、収納ユニットから紙幣回収カセット３４４や硬貨回収カセット４７０への貨幣の受渡処理が行われる際に、制御部２１０において受け付けられた包装硬貨の金種毎の本数分の金額と同額の紙幣が収納されている紙幣収納カセットや硬貨収納カセットを店長等が紙幣入出金口３２０や硬貨入金口４０１に装着し、この装着された紙幣収納カセットや硬貨収納カセットから紙幣処理部３００や硬貨処理部４００の内部に繰り出された紙幣が紙幣回収カセット３４４や硬貨回収カセット４７０に送られるようになっていてもよい。
【０１０１】
そして、制御部２１０において受け付けられた包装硬貨の金種毎の本数分の金額と同額の貨幣が収納ユニットから紙幣回収カセット３４４や硬貨回収カセット４７０に送られると、包装硬貨処理部５００において包装硬貨収納トレイ５４０に収納されている包装硬貨の出金処理が行われる。また、包装硬貨出金口５０１を閉止するためのシャッタが開くようになる。このことにより、店長等は包装硬貨搬送箱５５１から包装硬貨を取り出すことができるようになる。そして、包装硬貨搬送箱５５１から包装硬貨が取り出され、包装硬貨出金口５０１がシャッタにより閉止されると、店舗の店長等が貨幣処理装置２０１から包装硬貨を取り出す動作が完了する。なお、図８乃至図１３に示す貨幣処理装置２０１では、図１乃至図７に示す貨幣入出金機１００と異なり、包装硬貨処理部５００から包装硬貨が自動で出金されるため貨幣処理装置２０１から排出される包装硬貨に過不足が生じることはない。
【０１０２】
このように、貨幣処理装置２０１からの包装硬貨の上記の出金方法によれば、収納ユニットから紙幣回収カセット３４４や硬貨回収カセット４７０に貨幣がまず送られることにより当該貨幣の管理権限が店舗の管理権限から警送会社の管理権限に変えられた後、包装硬貨処理部５００において包装硬貨収納トレイ５４０に収納されている包装硬貨の出金処理が行われることによりこの包装硬貨の管理権限が警送会社の管理権限から店舗の管理権限に変えられる。また、収納ユニットから紙幣回収カセット３４４や硬貨回収カセット４７０に送られた貨幣の金額と同額の包装硬貨が包装硬貨処理部５００から出金されるため、店舗の管理権限により管理される貨幣の金額および警送会社の管理権限により管理される貨幣の金額は変わらないようになる。このように、本実施の形態では、店舗の管理権限により管理される貨幣の金額および警送会社の管理権限により管理される貨幣の金額を変えることなく、警送会社の管理権限により管理される包装硬貨収納トレイ５４０に収納されている包装硬貨の出金処理を行うことができるようになる。
【０１０３】
以上のような構成からなる貨幣処理装置２０１によれば、制御部２１０は、収納ユニットの金種別紙幣収納部３４０や金種別硬貨収納部４４０（収納部）に収納されている貨幣を第１の管理権限（具体的には、店舗の管理権限）により管理するとともに、紙幣回収カセット３４４や硬貨回収カセット４７０（回収部）に収納されている貨幣と、包装硬貨処理部５００の包装硬貨収納トレイ５４０（補充部）に収納されている貨幣とをそれぞれ第１の管理権限とは異なる第２の管理権限（具体的には、警送会社の管理権限）により管理するようになっている。このことにより、外部装置（具体的には、例えば貨幣釣銭機）に補充されるべき貨幣が収納される補充部（具体的には、包装硬貨処理部５００の包装硬貨収納トレイ５４０）の管理権限を、収納ユニットの管理権限と異ならせることができる。このように、図８乃至図１３に示す貨幣処理装置２０１では、包装硬貨処理部５００の包装硬貨収納トレイ５４０の管理権限が収納ユニットの管理権限（すなわち、店舗の管理権限）とは異なっているため、警備会社の警備員は店舗に配送した釣銭準備金としての包装硬貨を包装硬貨収納ユニットにそのまま収納することができるようになり、店舗の店員等に釣銭準備金としての包装硬貨を手渡す必要がなくなるため、警備会社の警備員にとっての作業負荷を軽減することができるようになる。
【０１０４】
また、本発明に係る貨幣処理機として、図１４乃至図１７に示す有価媒体処理装置６１０が用いられてもよい。ここで、図１４は、本実施の形態による更に他の構成の有価媒体処理装置６１０の外観を示す斜視図であり、図１５は、図１４に示す有価媒体処理装置６１０における紙葉類処理機構６２０および硬貨処理機構６５０の内部構成を側方から見たときの構成図である。また、図１６は、図１４に示す有価媒体処理装置６１０における制御系の構成を示す機能ブロック図であり、図１７は、図１４に示す有価媒体処理装置６１０における収納ユニット、紙葉類回収カセット６３８、６４０や硬貨回収カセット６６８、６７０（回収部）および包装硬貨収納トレイ６８２の管理権限を示す説明図である。
【０１０５】
図１４および図１５に示すように、本実施の形態による有価媒体処理装置６１０は略直方体形状の筐体６１２を有しており、この筐体６１２内には、紙幣や商品券等の紙葉類の処理を行う紙葉類処理機構６２０および硬貨の処理を行う硬貨処理機構６５０がそれぞれ設けられている。また、図１４に示すように、有価媒体処理装置６１０を正面から見て右側部分には上方から順に紙葉類投入部６２２、リジェクト部６３０、および紙葉類集積部６３２（後述）の前面開口を開閉するためのシャッタ６３３がそれぞれ配設されている。また、有価媒体処理装置６１０を正面から見て左側部分には硬貨投入部６５２が配設されている。また、有価媒体処理装置６１０の上側部分には例えばタッチパネル等からなる操作表示部６９２が配設されている。また、有価媒体処理装置６１０の前面下部には下部扉６１４が設けられており、この下部扉６１４を開くことにより、筐体６１２内に収容された紙葉類回収カセット６３８、６４０（後述）や硬貨回収カセット６６８、６７０（後述）を筐体６１２の外部に引き出すことができるようになっている。
【０１０６】
次に、このような有価媒体処理装置６１０における紙葉類処理機構６２０および硬貨処理機構６５０の構成の詳細についてそれぞれ図１５を用いて以下に説明する。なお、図１５においては、紙葉類処理機構６２０の構成と硬貨処理機構６５０の構成とを１枚の図面に表示するため、両処理機構が前後に位置するように模式的に示されている。図１５に示すように、紙葉類処理機構６２０において、紙葉類投入部６２２には紙葉類繰出部６２３が設けられており、この紙葉類投入部６２２に積層状態で投入された紙幣や商品券等の紙葉類は紙葉類繰出部６２３により１枚ずつ有価媒体処理装置６１０の筐体６１２内に繰り出されるようになっている。また、紙葉類投入部６２２には紙葉類搬送部６２４が接続されており、紙葉類繰出部６２３により紙葉類投入部６２２から繰り出された紙幣や商品券等の紙葉類は紙葉類搬送部６２４により１枚ずつ搬送されるようになっている。また、紙葉類搬送部６２４には紙葉類識別部６２６が介設されており、紙葉類搬送部６２４により搬送される紙幣や商品券等の紙葉類は紙葉類識別部６２６によりその種類や金種等について識別が行われるようになっている。より詳細には、紙葉類識別部６２６には撮像部としてイメージセンサ６２７が設けられており、このイメージセンサ６２７により紙幣や商品券等の紙葉類の表面が撮像されてその画像データが取得されるようになっている。また、紙葉類識別部６２６は、イメージセンサ６２７により取得された紙幣や商品券の画像データに基づいて、紙幣の記番号や商品券の券番号（以下、これらをまとめて有価媒体の識別番号ともいう）を取得するようになっている。
【０１０７】
また、紙葉類搬送部６２４における紙葉類識別部６２６よりも下流側には消し込み部６２８が設けられている。消し込み部６２８は例えばインクジェットプリンタ等からなり、紙葉類識別部６２６により識別が行われた紙葉類が商品券である場合には、このような商品券の表面に対して消し込み部６２８により「済」印等の所定の内容が印字されるようになっている。このことにより、有価媒体処理装置６１０の筐体６１２内に投入されて紙葉類識別部６２６により識別が行われた商品券について、所定の内容が印字されることにより、操作者はこのような商品券が紙葉類処理機構６２０で処理済のものであることを視認することができるようになる。なお、消し込み部６２８により商品券に印字される内容や位置は任意に設定することができるようになっている。また、商品券の種類に応じて、消し込み部６２８による印字を行うか否かの設定を行うことができるようになっている。
【０１０８】
また、図１５に示すように、紙葉類搬送部６２４にはリジェクト部６３０が接続されており、紙葉類識別部６２６により識別された紙葉類のうち、正常な紙幣ではないと識別された紙幣や予め設定された所定の種類のものではない商品券がリジェクト券として紙葉類搬送部６２４からリジェクト部６３０に送られてこのリジェクト部６３０に集積されるようになっている。リジェクト部６３０は有価媒体処理装置６１０の筐体６１２の外部から操作者がアクセス可能となっており、リジェクト部６３０に集積されたリジェクト券は操作者により筐体６１２の外部に取り出されるようになっている。
【０１０９】
また、図１５に示すように、紙葉類搬送部６２４には紙葉類集積部６３２が接続されており、紙葉類識別部６２６により識別された紙葉類のうち予め設定された所定の種類の紙葉類が紙葉類搬送部６２４から紙葉類集積部６３２に送られてこの紙葉類集積部６３２に集積されるようになっている。図１４および図１５に示すように、紙葉類集積部６３２には、この紙葉類集積部６３２の前面開口の開閉を行うシャッタ６３３が設けられており、このシャッタ６３３を開くことにより、操作者は紙葉類集積部６３２に集積された紙葉類を有価媒体処理装置６１０の筐体６１２の外部に取り出すことができるようになっている。このようなシャッタ６３３の開閉は後述する制御部６９０により制御されるようになっている。なお、紙葉類集積部６３２の前面開口にシャッタ６３３を設置することを省略することもでき、この場合には、紙葉類集積部６３２は有価媒体処理装置６１０の筐体６１２の外部から操作者がいつでもアクセス可能となる。
【０１１０】
また、図１５に示すように、紙葉類搬送部６２４には第１の紙葉類一時保留部６３４および第２の紙葉類一時保留部６３６がそれぞれ接続されており、紙葉類識別部６２６により識別された紙葉類のうち予め設定された所定の種類の紙葉類が紙葉類搬送部６２４から第１の紙葉類一時保留部６３４や第２の紙葉類一時保留部６３６に送られてこれらの第１の紙葉類一時保留部６３４や第２の紙葉類一時保留部６３６に一時的に保留されるようになっている。また、第１の紙葉類一時保留部６３４の下方には第１の紙葉類回収カセット６３８が設けられているとともに、第２の紙葉類一時保留部６３６の下方には第２の紙葉類回収カセット６４０が設けられている。そして、第１の紙葉類一時保留部６３４や第２の紙葉類一時保留部６３６に紙葉類が一時的に保留された後、有価媒体処理装置６１０の制御部６９０（後述）に対して操作表示部６９２（後述）により入金確定の指令が与えられると、第１の紙葉類一時保留部６３４や第２の紙葉類一時保留部６３６の底面が開放されてこれらの第１の紙葉類一時保留部６３４や第２の紙葉類一時保留部６３６に一時的に保留されている紙葉類が第１の紙葉類回収カセット６３８や第２の紙葉類回収カセット６４０に収納されるようになっている。これらの第１の紙葉類回収カセット６３８や第２の紙葉類回収カセット６４０は、有価媒体処理装置６１０の筐体６１２から取り外し可能となっており、第１の紙葉類回収カセット６３８や第２の紙葉類回収カセット６４０を筐体６１２から取り外すことによりこれらの第１の紙葉類回収カセット６３８や第２の紙葉類回収カセット６４０に収納されている紙葉類を取り出すことができるようになっている。
【０１１１】
また、第１の紙葉類一時保留部６３４や第２の紙葉類一時保留部６３６に紙葉類が一時的に保留された後、有価媒体処理装置６１０の制御部６９０（後述）に対して操作表示部６９２（後述）により返却指令が与えられると、第１の紙葉類一時保留部６３４や第２の紙葉類一時保留部６３６に一時的に保留された紙葉類が有価媒体処理装置６１０の筐体６１２の外部に返却されるようになっている。ここで、第１の紙葉類一時保留部６３４や第２の紙葉類一時保留部６３６は、第１の紙葉類回収カセット６３８や第２の紙葉類回収カセット６４０から独立して有価媒体処理装置６１０の筐体６１２から手前側に引き出し可能となっている。具体的には、図１４に示すように、有価媒体処理装置６１０の前面において下部扉６１４の右上箇所に一時保留部用扉６１６が設けられており、第１の紙葉類一時保留部６３４内の保留紙幣を回収する際には、この一時保留部用扉６１６を開くことで第１の紙葉類一時保留部６３４内の保留紙幣を取り出すことができるようになっている。一方、第２の紙葉類一時保留部６３６内の保留紙幣を回収する際には、この一時保留部用扉６１６を開き、第１の紙葉類一時保留部６３４および第２の紙葉類一時保留部６３６をそれぞれ筐体６１２から手前側に引き出すことで第２の紙葉類一時保留部６３６の上面から保留紙幣を取り出すことができるようになる。
【０１１２】
次に、硬貨処理機構６５０の構成について以下に説明する。図１４および図１５に示すように、硬貨処理機構６５０には例えばホッパ等からなる硬貨投入部６５２が設けられており、この硬貨投入部６５２には硬貨搬送部６５４が接続されている。ここで、硬貨投入部６５２に投入された硬貨は硬貨搬送部６５４により一層一列状態で１枚ずつ搬送されるようになっている。また、硬貨搬送部６５４には硬貨識別部６５６が設けられており、硬貨搬送部６５４により搬送される硬貨は硬貨識別部６５６によりその真偽や金種等について識別が行われるようになっている。
【０１１３】
また、硬貨識別部６５６よりも硬貨の搬送方向における下流側において、硬貨搬送部６５４の搬送面には硬貨リジェクト口および２つの分岐口がそれぞれ設けられており、これらの硬貨リジェクト口や各分岐口にはソレノイド付き選別部材（図示せず）がそれぞれ設けられている。そして、各ソレノイド付き選別部材により、硬貨搬送部６５４により搬送される硬貨が硬貨リジェクト口や各分岐口に選択的に入れられ、硬貨搬送部６５４から分岐されるようになっている。
【０１１４】
図１５に示すように、硬貨搬送部６５４における硬貨リジェクト口の下方には硬貨リジェクトシュート６５８を介して硬貨リジェクト部６６０が設けられている。ここで、硬貨識別部６５６により識別された硬貨のうち、正常な硬貨ではないリジェクト硬貨は硬貨リジェクト口により硬貨搬送部６５４から分岐されて硬貨リジェクトシュート６５８に送られ、この硬貨リジェクトシュート６５８により硬貨リジェクト部６６０に導かれるようになっている。このような硬貨リジェクト部６６０は有価媒体処理装置６１０の筐体６１２の外部に取り出し可能となっており、操作者は、硬貨リジェクト部６６０を筐体６１２の外部に取り出した後、この硬貨リジェクト部６６０からリジェクト硬貨を取り出すようになっている。
【０１１５】
また、硬貨搬送部６５４に設けられた２つの分岐口の各々の下方には第１の硬貨搬送シュート６６１および第２の硬貨搬送シュート６６３を介して第１の硬貨一時保留部６６２および第２の硬貨一時保留部６６４がそれぞれ設けられており、所定の金種の硬貨がそれぞれ硬貨搬送部６５４から分岐口により分岐されて第１の硬貨搬送シュート６６１や第２の硬貨搬送シュート６６３に送られ、第１の硬貨一時保留部６６２や第２の硬貨一時保留部６６４に一時的に保留されるようになっている。ここで、第１の硬貨一時保留部６６２および第２の硬貨一時保留部６６４はそれぞれ、上方および下方が開口された枠体と、この枠体の下方開口を選択的に閉じる底板とを有しており、枠体の下方開口を底板が閉じた状態で、第１の硬貨一時保留部６６２や第２の硬貨一時保留部６６４に硬貨が一時的に保留されるようになっている。
【０１１６】
また、図１５に示すように、第１の硬貨一時保留部６６２や第２の硬貨一時保留部６６４の下方には、硬貨返却箱６６６、第１の硬貨回収カセット６６８および第２の硬貨回収カセット６７０がそれぞれ設けられており、第１の硬貨一時保留部６６２や第２の硬貨一時保留部６６４に一時的に保留された硬貨は、これらの硬貨返却箱６６６、第１の硬貨回収カセット６６８および第２の硬貨回収カセット６７０のうち何れかに送られるようになっている。ここで、第１の硬貨回収カセット６６８には第１の硬貨一時保留部６６２に一時的に保留された硬貨が送られるようになっており、また、第２の硬貨回収カセット６７０には第２の硬貨一時保留部６６４に一時的に保留された硬貨が送られるようになっている。また、硬貨返却箱６６６は２つの領域に区分けされている。そして、第１の硬貨一時保留部６６２や第２の硬貨一時保留部６６４に硬貨が一時的に保留された後、有価媒体処理装置６１０の制御部６９０（後述）に対して操作表示部６９２（後述）により入金確定の指令が与えられると、第１の硬貨一時保留部６６２や第２の硬貨一時保留部６６４の枠体が水平方向に移動して、この枠体内にある硬貨がそれぞれ第１の硬貨回収カセット６６８や第２の硬貨回収カセット６７０に収納されるようになる。これらの第１の硬貨回収カセット６６８や第２の硬貨回収カセット６７０は、有価媒体処理装置６１０の筐体６１２から取り外し可能となっており、第１の硬貨回収カセット６６８や第２の硬貨回収カセット６７０を筐体６１２から取り外すことによりこれらの第１の硬貨回収カセット６６８や第２の硬貨回収カセット６７０に収納されている硬貨を取り出すことができるようになっている。
【０１１７】
また、第１の硬貨一時保留部６６２や第２の硬貨一時保留部６６４に硬貨が一時的に保留された後、有価媒体処理装置６１０の制御部６９０（後述）に対して操作表示部６９２（後述）により返却指令が与えられると、第１の硬貨一時保留部６６２や第２の硬貨一時保留部６６４の底板が水平方向に移動して枠体の下部開口が開くことにより、この枠体内にある硬貨が硬貨返却箱６６６に収納される。ここで、前述したように硬貨返却箱６６６は２つの領域に区分けされており、第１の硬貨一時保留部６６２および第２の硬貨一時保留部６６４からそれぞれ送られた硬貨が、２つに区分けされた各領域に収納されるようになる。硬貨返却箱６６６は有価媒体処理装置６１０の筐体６１２から前方に引き出し可能となっており、硬貨返却箱６６６を筐体６１２から前方に引き出すことにより操作者はこの硬貨返却箱６６６から返却硬貨を取り出すことができるようになる。
【０１１８】
また、本実施の形態では、紙葉類集積部６３２、第１の紙葉類回収カセット６３８、第２の紙葉類回収カセット６４０、第１の硬貨回収カセット６６８および第２の硬貨回収カセット６７０からなる各有価媒体収納部へのアクセスが規制部６７５（図１６参照）により有価媒体収納部毎に規制されるようになっている。より詳細には、紙葉類回収カセット６３８、６４０や硬貨回収カセット６６８、６７０については、各収納カセットに対応してカセットロック部（図示せず）が設けられており、これらのカセットロック部により有価媒体処理装置６１０の筐体６１２内に各収納カセットを選択的にロックして取出不可とするようになっている。そして、このような規制部６７５によるロックを解除することにより、有価媒体処理装置６１０の筐体６１２内から第１の紙葉類回収カセット６３８のみを取り出す動作や、有価媒体処理装置６１０の筐体６１２内から第１の紙葉類回収カセット６３８、第２の紙葉類回収カセット６４０、第１の硬貨回収カセット６６８、第２の硬貨回収カセット６７０を一体的に取り出す動作等を選択的に行うことができるようになる。
【０１１９】
また、本実施の形態では、上述した規制部６７５により紙葉類集積部６３２へのアクセスも選択的に規制することができるようになっている。具体的には、規制部６７５は、紙葉類集積部６３２の前面開口を開閉するためのシャッタ６３３の開閉を選択的に規制することにより、当該前面開口をシャッタ６３３により閉じた場合には操作者が紙葉類集積部６３２から紙葉類を筐体６１２の外部に取り出せないようにし、一方、紙葉類集積部６３２の前面開口をシャッタ６３３が開いた場合には操作者が紙葉類集積部６３２から紙葉類を筐体６１２の外部に取り出せるようにしている。
【０１２０】
また、本実施の形態では、紙葉類処理機構６２０の紙葉類投入部６２２、紙葉類繰出部６２３、紙葉類搬送部６２４、紙葉類識別部６２６、リジェクト部６３０、紙葉類集積部６３２、第１の紙葉類一時保留部６３４および第２の紙葉類一時保留部６３６、ならびに硬貨処理機構６５０の硬貨投入部６５２、硬貨搬送部６５４、硬貨識別部６５６、硬貨リジェクト部６６０、第１の硬貨一時保留部６６２および第２の硬貨一時保留部６６４を組み合わせることにより、筐体６１２の外部から内部に投入された紙幣および硬貨を収納するとともに収納されている紙幣および硬貨を筐体６１２の内部から外部に投出可能な収納ユニットが構成されている（図１７参照）。
【０１２１】
また、本実施の形態の有価媒体処理装置６１０において、紙葉類処理機構６２０および硬貨処理機構６５０がそれぞれ内部に収容されている筐体６１２の隣には包装硬貨処理部６８０が並設されている。ここで、包装硬貨処理部６８０の構成は、図８乃至図１３に示す貨幣処理装置２０１における包装硬貨処理部５００の構成と略同一となっている。具体的には、包装硬貨処理部６８０は、包装硬貨を収納する複数の包装硬貨収納トレイ６８２（図１７参照）を有しているが、この包装硬貨収納トレイ６８２の構成は図８乃至図１３に示す包装硬貨処理部５００の包装硬貨収納トレイ５４０と略同一の構成となっている。包装硬貨処理部６８０の構成の詳細についてはその説明を省略する。
【０１２２】
また、図１６に示すように、本実施の形態の有価媒体処理装置６１０では、この有価媒体処理装置６１０における各構成要素の制御を行う制御部６９０が設けられている。より詳細には、制御部６９０には紙葉類処理機構６２０、硬貨処理機構６５０、規制部６７５、包装硬貨処理部６８０等がそれぞれ接続されており、この制御部６９０から各構成要素に指令信号が送られることにより、これらの各構成要素が制御されるようになっている。また、前述したように、有価媒体処理装置６１０の上側部分には例えばタッチパネル等からなる操作表示部６９２が配設されているが、この操作表示部６９２も制御部６９０に接続されており、このことにより、操作者は操作表示部６９２によって制御部６９０に対して様々な指令を与えたり、あるいは操作表示部６９２における表示内容が制御部６９０により制御されたりするようになっている。このような操作表示部６９２には、例えば操作ガイダンスや入金処理時の取引データ、あるいは各回収カセット６３８、６４０、６６８、６７０や紙葉類集積部６３２に収納された貨幣や商品券の在高等のデータが表示されるようになっている。
【０１２３】
また、制御部６９０には記憶部６９４が接続されており、この記憶部６９４には、入金処理時の取引データや、各回収カセット６３８、６４０、６６８、６７０や紙葉類集積部６３２に収納された貨幣や商品券の在高等のデータが記憶されるようになっている。また、本実施の形態では、制御部６９０は、紙葉類投入部６２２により筐体６１２内に投入され、紙葉類識別部６２６により識別が行われた紙幣や商品券等の有価媒体について、当該紙葉類識別部６２６においてイメージセンサ６２７により取得された有価媒体の画像データに基づいて取得された有価媒体の識別番号（具体的には、紙幣の記番号や商品券の券番号）を記憶部６９４に記憶させるようになっている。
【０１２４】
また、制御部６９０には、操作者の管理権限を認証するための認証部６９６が設けられている。認証部６９６は、例えば有価媒体処理装置６１０の上側部分における操作表示部６９２の右側に配置され、操作者が携帯するＩＣカードの読み取りを行うＩＣカードリーダ６９６ａ（図１４参照）からなり、このようなＩＣカードリーダ６９６ａで操作者が携帯するＩＣカードの読み取りを行うことによりこの操作者の管理権限が店舗側の管理権限および警送会社側の管理権限のうち何れかを判定するようになっている。なお、認証部６９６としては、ＩＣカードリーダ６９６ａの代わりに、操作者が携帯する磁気カードの読み取りを行う磁気カードリーダが用いられてもよい。また、操作者は、ＩＣカードをＩＣカードリーダ６９６ａに読み取らせる代わりに、操作表示部６９２や別途設けられたキーボード等（図示せず）により操作者の識別番号やパスワードを入力し、この入力された操作者の識別番号やパスワードに基づいて認証部６９６が操作者の管理権限を認証するようになっていてもよい。また、認証部６９６は、操作者の指紋や網膜をチェックするような生体認証を行うようになっていてもよい。
【０１２５】
また、制御部６９０にはプリンタ６９８が接続されており、このプリンタ６９８により、入金処理時の取引データや、有価媒体処理装置６１０の締め処理や回収処理の際における各回収カセット６３８、６４０、６６８、６７０や紙葉類集積部６３２に収納された貨幣や商品券の在高等のデータ等の印字が行われるようになっている。
【０１２６】
また、制御部６９０には通信部６９９が接続されており、この通信部６９９により、有価媒体処理装置６１０の制御部６９０は上位装置等の外部装置に対して信号の送受信を行うことができるようになっている。具体的には、有価媒体処理装置６１０の入金処理時の取引データが通信部６９９を介して外部装置に送信されたり、有価媒体処理装置６１０の様々な設定情報等が通信部６９９により外部装置から受信されたりするようになっている。
【０１２７】
次に、図１４乃至図１６に示す有価媒体処理装置６１０における、紙葉類処理機構６２０や硬貨処理機構６５０の収納ユニットにある貨幣、紙葉類回収カセット６３８、６４０や硬貨回収カセット６６８、６７０に回収された貨幣、および包装硬貨処理部６８０の包装硬貨収納トレイ６８２に収納されている貨幣がどの管理権限により管理されるかについて図１７を用いて説明する。本実施の形態では、有価媒体処理装置６１０の内部にある貨幣を管理する管理権限として、店舗の管理権限（第１の管理権限）および警送会社の管理権限（第２の管理権限）という２つの管理権限がある。そして、紙葉類処理機構６２０や硬貨処理機構６５０の収納ユニットにある貨幣、紙葉類回収カセット６３８、６４０や硬貨回収カセット６６８、６７０に回収された貨幣、および包装硬貨処理部６８０の包装硬貨収納トレイ６８２に収納されている貨幣の各々について、概ね管理権限を有する操作者のみがアクセスすることができるようになっている。ここで、本実施の形態では、図１７に示すように、紙葉類処理機構６２０や硬貨処理機構６５０の収納ユニットにある貨幣の管理権限として、有価媒体処理装置６１０が設置される施設（具体的には、店舗）の管理権限が割り当てられている。一方、紙葉類回収カセット６３８、６４０や硬貨回収カセット６６８、６７０に回収された貨幣、および包装硬貨処理部６８０の包装硬貨収納トレイ６８２に収納されている貨幣（具体的には、包装硬貨）の管理権限として、紙葉類回収カセット６３８、６４０や硬貨回収カセット６６８、６７０により店舗から貨幣を回収する組織（具体的には、警送会社）の管理権限が割り当てられている。また、後述するように、本実施の形態では、店舗における特定の権限を有する操作者（例えば、店長等）のみが、包装硬貨処理部６８０の包装硬貨収納トレイ６８２に収納されている包装硬貨を当該包装硬貨処理部６８０の外部に出金することができるようになっている。一方、紙葉類回収カセット６３８、６４０や硬貨回収カセット６６８、６７０に回収された貨幣は、店舗における特定の権限を有する操作者であっても有価媒体処理装置６１０の筐体６１２の内部から外部に取り出すことができないようになっている。
【０１２８】
次に、警送会社の警備員が本実施の形態の有価媒体処理装置６１０に貨幣（具体的には、包装硬貨）を補充したり当該有価媒体処理装置６１０から売上金としての貨幣を回収したりする動作について説明する。まず、警送会社の警備員は、貨幣釣銭機で用いられる釣銭準備金としての貨幣（具体的には、包装硬貨）を警送会社の管理センターから店舗に運搬する。次に、警備員は自分のＩＣカードをＩＣカードリーダ６９６ａによって読み取らせることにより当該警備員の認証が認証部６９６により行われる。なお、警備員は自分のＩＣカードをＩＣカードリーダ６９６ａによって読み取らせることにより当該警備員の認証を行う代わりに、操作表示部６９２によって自分の識別番号およびパスワードを入力することにより当該警備員の認証を認証部６９６により行うようにしてもよい。そして、認証部６９６において警備員の認証が行われると、規制部６７５による各紙葉類回収カセット６３８、６４０や各硬貨回収カセット６６８、６７０のロックが解除されてこれらの各紙葉類回収カセット６３８、６４０や各硬貨回収カセット６６８、６７０を筐体６１２の内部から外部に取り出すことができるようになる。このことにより、警備員は筐体６１２の内部から各紙葉類回収カセット６３８、６４０や各硬貨回収カセット６６８、６７０を取り出してこれらの各紙葉類回収カセット６３８、６４０や各硬貨回収カセット６６８、６７０に収納されている貨幣を各紙葉類回収カセット６３８、６４０や各硬貨回収カセット６６８、６７０ごと回収することができるようになる。また、認証部６９６において警備員の認証が行われると、包装硬貨処理部６８０の背面側に設けられた開閉扉が開くことにより警備員は各包装硬貨収納トレイ６８２に包装硬貨を補充することができるようになる。このように、本実施の形態では、各紙葉類回収カセット６３８、６４０や各硬貨回収カセット６６８、６７０に回収された貨幣、および包装硬貨処理部６８０の包装硬貨収納トレイ６８２に収納されている包装硬貨がそれぞれ警送会社の管理権限により管理されるため、警送会社の警備員は、筐体６１２の内部から各紙葉類回収カセット６３８、６４０や各硬貨回収カセット６６８、６７０を取り出してこれらの各紙葉類回収カセット６３８、６４０や各硬貨回収カセット６６８、６７０に収納されている貨幣を回収したり、包装硬貨処理部６８０の包装硬貨収納トレイ６８２に包装硬貨を補充したりすることができるようになる。とりわけ、警送会社の警備員は、包装硬貨処理部６８０の包装硬貨収納トレイ６８２に補充されるべき包装硬貨を店舗の店員等に手渡すことなく直接包装硬貨処理部６８０の包装硬貨収納トレイ６８２に補充することができるため、店舗の店員等が不在でも包装硬貨収納トレイ５４０に包装硬貨を補充することができ、よって警備員にとっての利便性を向上させることができる。
【０１２９】
次に、店舗の店長等の所定の権限を有する操作者が貨幣釣銭機に釣銭準備金としての貨幣を補充するために有価媒体処理装置６１０から貨幣（具体的には、包装硬貨）を取り出す動作について以下に説明する。
【０１３０】
店舗における所定の権限を有する管理者（例えば、店長等）が有価媒体処理装置６１０から包装硬貨を取り出すにあたり、最初に店長等は自分のＩＣカードをＩＣカードリーダ６９６ａによって読み取らせることにより当該店長等の認証が認証部６９６により行われる。なお、店長等は自分のＩＣカードをＩＣカードリーダ６９６ａによって読み取らせることにより当該店長等の認証を行う代わりに、操作表示部６９２によって自分の識別番号およびパスワードを入力することにより当該店長等の認証を認証部６９６により行うようにしてもよい。ここで、本実施の形態では、包装硬貨処理部６８０の包装硬貨収納トレイ６８２に収納されている包装硬貨が警送会社の管理権限により管理されているため、店舗における所定の権限を有しない一般の店員では包装硬貨処理部６８０において包装硬貨収納トレイ６８２に収納されている包装硬貨の出金処理を行うことはできず、店長等の所定の権限を有する操作者のみが包装硬貨処理部６８０において包装硬貨収納トレイ６８２に収納されている包装硬貨の出金処理を行うことができるようになっている。そして、店長等の認証が認証部６９６において行われた後、この店長等は操作表示部６９２によって貨幣釣銭機の釣銭準備金として必要な包装硬貨の金種毎の本数を入力する。その後、紙葉類処理機構６２０や硬貨処理機構６５０において収納ユニットから各紙葉類回収カセット６３８、６４０や各硬貨回収カセット６６８、６７０への貨幣の受渡処理が行われる。より詳細には、操作表示部６９２によって店長等により入力された包装硬貨の金種毎の本数分の金額と同額の貨幣が収納ユニットから各紙葉類回収カセット６３８、６４０や各硬貨回収カセット６６８、６７０に送られる。
【０１３１】
具体的に説明すると、収納ユニットから各紙葉類回収カセット６３８、６４０や各硬貨回収カセット６６８、６７０への貨幣の受渡処理が行われる際に、店長等は紙葉類投入部６２２や硬貨投入部６５２に貨幣を投入し、これらの紙葉類投入部６２２や硬貨投入部６５２により筐体６１２の内部に投入された貨幣が各紙葉類回収カセット６３８、６４０や各硬貨回収カセット６６８、６７０に送られる。
【０１３２】
そして、制御部６９０において受け付けられた包装硬貨の金種毎の本数分の金額と同額の貨幣が収納ユニットから各紙葉類回収カセット６３８、６４０や各硬貨回収カセット６６８、６７０に送られると、包装硬貨処理部６８０において包装硬貨収納トレイ６８２に収納されている包装硬貨の出金処理が行われる。また、包装硬貨出金口を閉止するためのシャッタが開くようになる。このことにより、店長等は包装硬貨搬送箱から包装硬貨を取り出すことができるようになる。そして、包装硬貨搬送箱から包装硬貨が取り出され、包装硬貨出金口がシャッタにより閉止されると、店舗の店長等が有価媒体処理装置６１０から包装硬貨を取り出す動作が完了する。なお、図１４乃至図１７に示す有価媒体処理装置６１０では、図８乃至図１３に示す貨幣処理装置２０１と同様に、包装硬貨処理部６８０から包装硬貨が自動で出金されるため有価媒体処理装置６１０から排出される包装硬貨に過不足が生じることはない。
【０１３３】
このように、有価媒体処理装置６１０からの包装硬貨の上記の出金方法によれば、収納ユニットから各紙葉類回収カセット６３８、６４０や各硬貨回収カセット６６８、６７０に貨幣がまず送られることにより当該貨幣の管理権限が店舗の管理権限から警送会社の管理権限に変えられた後、包装硬貨処理部６８０において包装硬貨収納トレイ６８２に収納されている包装硬貨の出金処理が行われることによりこの包装硬貨の管理権限が警送会社の管理権限から店舗の管理権限に変えられる。また、収納ユニットから各紙葉類回収カセット６３８、６４０や各硬貨回収カセット６６８、６７０に送られた貨幣の金額と同額の包装硬貨が包装硬貨処理部６８０から出金されるため、店舗の管理権限により管理される貨幣の金額および警送会社の管理権限により管理される貨幣の金額は変わらないようになる。このように、本実施の形態では、店舗の管理権限により管理される貨幣の金額および警送会社の管理権限により管理される貨幣の金額を変えることなく、警送会社の管理権限により管理される包装硬貨収納トレイ６８２に収納されている包装硬貨の出金処理を行うことができるようになる。
【０１３４】
以上のような構成からなる有価媒体処理装置６１０によれば、制御部６９０は、紙葉類処理機構６２０や硬貨処理機構６５０の収納ユニットにある貨幣を第１の管理権限（具体的には、店舗の管理権限）により管理するとともに、各紙葉類回収カセット６３８、６４０や各硬貨回収カセット６６８、６７０（回収部）に収納されている貨幣と、包装硬貨処理部６８０の包装硬貨収納トレイ６８２（補充部）に収納されている貨幣とをそれぞれ第１の管理権限とは異なる第２の管理権限（具体的には、警送会社の管理権限）により管理するようになっている。このことにより、外部装置（具体的には、例えば貨幣釣銭機）に補充されるべき貨幣が収納される補充部（具体的には、包装硬貨処理部６８０の包装硬貨収納トレイ６８２）の管理権限を、収納ユニットの管理権限と異ならせることができる。このように、図１４乃至図１７に示す有価媒体処理装置６１０では、包装硬貨処理部６８０の包装硬貨収納トレイ６８２の管理権限が収納ユニットの管理権限（すなわち、店舗の管理権限）とは異なっているため、警備会社の警備員は店舗に配送した釣銭準備金としての包装硬貨を包装硬貨収納ユニットにそのまま収納することができるようになり、店舗の店員等に釣銭準備金としての包装硬貨を手渡す必要がなくなるため、警備会社の警備員にとっての作業負荷を軽減することができるようになる。
【符号の説明】
【０１３５】
１００    貨幣入出金機
１０１    筐体
１０２    制御部
１０４    操作表示部
１０５    通信部
１０６    記憶部
１０８    検知手段
１１０    紙幣処理ユニット
１２０    紙幣受入部
１２０ａ  紙幣受入口
１２１    紙幣繰出機構
１２２    紙幣払出部
１２２ａ  紙幣取出口
１２４    出金リジェクト部
１２６    カセット装着部
１２６ａ  扉
１２７    収納カセット
１２８    書込部
１２９    読取部
１３０    搬送部
１３０ａ  周回搬送部
１３０ｂ  接続搬送部
１３２    識別部
１３４、１３６  収納繰出部
１３５、１３７  紙幣繰出機構
１４０    回収カセット
１４０ａ  扉
１５０    硬貨処理ユニット
１５２    硬貨受入部
１５３    硬貨繰出機構
１５４    入金搬送部
１５６    識別部
１５８    第１分岐部
１６０    収納繰出部
１６２    出金搬送部
１６４    第２分岐部
１６６    硬貨払出部
１７０    回収カセット
１７０ａ  扉
１８０    包装硬貨収納ユニット
１８０ａ〜１８０ｆ  収納領域
１８２    収納ドロア
１８４    ロック機構
１８６    重量計
２０１    貨幣処理装置
２１０    制御部
２１１    表示部
２１２    操作部
２２０    プリンタ
２３０    通信部
２４０    記憶部
３００    紙幣処理部
３０１    シャッタ機構
３０３    扉
３２０    紙幣入出金口
３２１    紙幣繰出機構
３２４    入金リジェクト部
３２６    出金リジェクト部
３３０    紙幣搬送部
３３１    紙幣識別部
３３６    分岐部材
３４０、３４０ａ〜３４０ｃ  金種別紙幣収納部
３４１    紙幣繰出機構
３４２    紙幣一時保留部
３４４    紙幣回収カセット
３４５    紙幣繰出機構
４００    硬貨処理部
４０１    硬貨入金口
４０２    入金硬貨リジェクト部
４０３    入金硬貨返却箱
４０４    硬貨出金箱
４１０    供給ホッパ
４１１    硬貨繰出ホッパ
４２０    入金硬貨識別部
４３０    入金硬貨一時保留部
４４０    金種別硬貨収納部
４４１    任意硬貨収納部
４５０    出金硬貨識別部
４６０    出金硬貨一時保留部
４７０    硬貨回収カセット
５００    包装硬貨処理部
５０１    包装硬貨出金口
５１０    包装硬貨検知センサ
５１１    孔センサ
５１２    径センサ
５１３    センサ基板
５２１    開閉扉
５３０    搬送箱移動部
５３１    プーリ
５３２    ベルト
５４０    包装硬貨収納トレイ
５４１    支え部
５５０    投出部材
５５１    包装硬貨搬送箱
５６０    センサ移動部
５６１    プーリ
５６２    ベルト
６１０    有価媒体処理装置
６１２    筐体
６１４    下部扉
６１６    一時保留部用扉
６２０    紙葉類処理機構
６２２    紙葉類投入部
６２３    紙葉類繰出部
６２４    紙葉類搬送部
６２６    紙葉類識別部
６２７    イメージセンサ
６２８    消し込み部
６３０    リジェクト部
６３２    紙葉類集積部
６３３    シャッタ
６３４    第１の紙葉類一時保留部
６３６    第２の紙葉類一時保留部
６３８    第１の紙葉類回収カセット
６４０    第２の紙葉類回収カセット
６５０    硬貨処理機構
６５２    硬貨投入部
６５４    硬貨搬送部
６５６    硬貨識別部
６５８    硬貨リジェクトシュート
６６０    硬貨リジェクト部
６６１    第１の硬貨搬送シュート
６６２    第１の硬貨一時保留部
６６３    第２の硬貨搬送シュート
６６４    第２の硬貨一時保留部
６６６    硬貨返却箱
６６８    第１の硬貨回収カセット
６７０    第２の硬貨回収カセット
６７５    規制部
６８０    包装硬貨処理部
６８２    包装硬貨収納トレイ
６９０    制御部
６９２    操作表示部
６９４    記憶部
６９６    認証部
６９６ａ  ＩＣカードリーダ
６９８    プリンタ
６９９    通信部
【図１】
2019117479.tif 000003
【図２】
2019117479.tif 000004
【図３】
2019117479.tif 000005
【図４】
2019117479.tif 000006
【図５】
2019117479.tif 000007
【図６】
2019117479.tif 000008
【図７】
2019117479.tif 000009
【図８】
2019117479.tif 000010
【図９】
2019117479.tif 000011
【図１０】
2019117479.tif 000012
【図１１】
2019117479.tif 000013
【図１２】
2019117479.tif 000014
【図１３】
2019117479.tif 000015
【図１４】
2019117479.tif 000016
【図１５】
2019117479.tif 000017
【図１６】
2019117479.tif 000018
【図１７】
2019117479.tif 000019